(57)【要約】【課題】タービンシステム（１０）の高温ガス経路（ＨＧＰ）構成要素（１００、２００）を提供する。【解決手段】ＨＧＰ構成要素（１００、２００）は、前端（１２０、２２０）と、後端（１２２、２２２）と、タービンシステムの高温ガス流路（１０）に隣接して位置決めされた内側部分（１３２、２３２）とを含む本体（１１０、２１０）を含むことができる。本体（１１０、２１０）はまた、内側部分（１３２、２３２）の半径方向反対側に形成された外側部分（１３４、２３４）と、外側部分（１３４、２３４）を通じて延伸する複数のノズル（１４６、２４６）とを含むことができる。加えて、本体（１１０、２１０）は、内側部分（１３２、２３２）と外側部分（１３４、２３４）との間に形成された中間部分（１３６、２３６）と、中間部分（１３６、２３６）を通じて延伸する複数のベンチュリ（１４８、２４８）とを含むことができる。複数のベンチュリ（１４８、２４８）は、複数のノズル（１４６、２４６）と流体連通することができる。【選択図】図５
2020084981.tif 000002
【特許請求の範囲】
【請求項１】
タービンシステム（１０）の高温ガス経路（ＨＧＰ）構成要素（１００、２００）であって、前記ＨＧＰ構成要素（１００、２００）は、
本体（１１０、２１０）であり、
前端（１２０、２２０）と、
前記前端（１２０、２２０）の反対側に位置決めされた後端（１２２、２２２）と、
前記タービンシステム（１０）の高温ガス流路に隣接して位置決めされた内側部分（１３２、２３２）であって、前記内側部分（１３２、２３２）は、前記前端（１２０、２２０）と前記後端（１２２、２２２）との間に延伸する、内側部分（１３２、２３２）と、
半径方向において前記内側部分（１３２、２３２）の反対側に形成され、前記前端（１２０、２２０）と前記後端（１２２、２２２）との間に延伸する外側部分（１３４、２３４）と、
前記外側部分（１３４、２３４）を通じて延伸する複数のノズル（１４６、２４６）と、
前記内側部分（１３２、２３２）と前記外側部分（１３４、２３４）との間に形成された中間部分（１３６、２３６）と、
前記中間部分（１３６、２３６）を通じて延伸する複数のベンチュリ（１４８、２４８）であり、前記複数のベンチュリ（１４８、２４８）は、前記複数のノズル（１４６、２４６）と流体連通している、複数のベンチュリ（１４８、２４８）と
を含む、本体（１１０、２１０）
を備える、高温ガス経路（ＨＧＰ）構成要素（１００、２００）。
【請求項２】
前記複数のノズル（１４６、２４６）の各々は第１の寸法を含み、
前記複数のベンチュリ（１４８、２４８）の各々は、前記第１の寸法よりも大きい第２の寸法を含む、
請求項１に記載のＨＧＰ構成要素（１００、２００）。
【請求項３】
前記本体（１１０、２１０）は、
複数のディフューザ（１５２）をさらに含み、前記複数のディフューザ（１５２）の各々は、前記本体（１１０、２１０）の前記内側部分（１３２、２３２）に隣接して、前記複数のベンチュリ（１４８、２４８）のうちの対応するベンチュリ（２４８）と一体に形成される、請求項２に記載のＨＧＰ構成要素（１００、２００）。
【請求項４】
前記複数のディフューザ（１５２）の各々が、前記複数のベンチュリ（１４８、２４８）の前記第２の寸法よりも大きい第３の寸法を含む、請求項３に記載のＨＧＰ構成要素（１００、２００）。
【請求項５】
前記本体（１１０、２１０）は、
前記中間部分（１３６、２３６）と前記外側部分（１３４、２３４）との間に形成された低圧流体チャネル（１３８、２３８）であって、前記低圧流体チャネル（１３８、２３８）は、低圧流体を受け入れ、前記低圧流体を前記複数のベンチュリ（１４８、２４８）に提供する、低圧流体チャネル（１３８、２３８）と、
前記中間部分（１３６、２３６）と前記内側部分（１３２、２３２）との間に形成された冷却チャネル（１４２、２４２）であって、前記冷却チャネル（１４２、２４２）は、高圧流体および前記低圧流体を受け入れる、冷却チャネル（１４２、２４２）と
をさらに含む、請求項１に記載のＨＧＰ構成要素（１００、２００）。
【請求項６】
前記本体（１１０、２１０）は、
前記外側部分（１３４、２３４）から半径方向外側に形成された高圧流体チャネル（１６０、２６０）をさらに含み、前記高圧流体チャネル（１６０、２６０）は前記高圧流体を受け入れ、前記高圧流体を前記複数のノズル（１４６、２４６）に提供する、請求項５に記載のＨＧＰ構成要素（１００、２００）。
【請求項７】
前記外側部分（１３４、２３４）の前記複数のノズル（１４６、２４６）の各々の区画（１５０）は、前記中間部分（１３６、２３６）の対応するベンチュリ（２４８）内に延伸する、請求項１に記載のＨＧＰ構成要素（１００、２００）。
【請求項８】
前記本体（１１０、２１０）は、
前記中間部分（１３６、２３６）と前記外側部分（１３４、２３４）との間に形成された高圧流体チャネル（１６０、２６０）であって、前記高圧流体チャネル（１６０、２６０）は、高圧流体を受け入れ、前記高圧流体を前記複数のベンチュリ（１４８、２４８）に提供する、高圧流体チャネル（１６０、２６０）と、
前記中間部分（１３６、２３６）と前記内側部分（１３２、２３２）との間に形成された冷却チャネル（１４２、２４２）であって、前記冷却チャネル（１４２、２４２）は、低圧流体および前記高圧流体を受け入れる、冷却チャネル（１４２、２４２）と
をさらに含む、請求項１に記載のＨＧＰ構成要素（１００、２００）。
【請求項９】
前記本体（１１０、２１０）は、
前記外側部分（１３４、２３４）から半径方向外側に形成された低圧流体チャネル（１３８、２３８）をさらに含み、前記低圧流体チャネル（１３８、２３８）は前記低圧流体を受け入れ、前記低圧流体を前記複数のノズル（１４６、２４６）に提供する、請求項８に記載のＨＧＰ構成要素（１００、２００）。
【請求項１０】
タービンシステム（１０）であって、
タービンケーシング（３６）と、
前記タービンケーシング（３６）内でロータ（３０）の周りに円周方向に位置決めされた複数のタービンブレード（３８）と、
前記タービンケーシング（３６）の周りに円周方向に配置され、前記複数のタービンブレード（３８）に半径方向に隣接して位置決めされた複数の支持体（１０２）であり、前記複数の支持体（１０２）の各々は、
前記支持体（１０２）に隣接して前記支持体（１０２）の上流を流れる高圧流体と流体連通する少なくとも１つの高圧供給導管（１０６）、および
前記支持体（１０２）に隣接して前記支持体（１０２）の下流を流れる低圧流体と流体連通する少なくとも１つの低圧供給導管（１０８）
を含む、複数の支持体（１０２）と、
前記複数の支持体（１０２）に結合され、前記複数の支持体（１０２）と前記複数のタービンブレード（３８）との間で半径方向に延伸する複数の高温ガス経路（ＨＧＰ）構成要素（１００）であり、前記複数のＨＧＰ構成要素（１００）の各々は、
本体（１１０）を含み、前記本体（１１０）は、
前端（１２０）と、
前記前端（１２０）の反対側に位置決めされた後端（１２２）と、
前記複数のタービンブレード（３８）に隣接して位置決めされた内側部分（１３２）であって、前記内側部分（１３２）は、前記前端（１２０）と前記後端（１２２）との間に延伸する、内側部分（１３２）と、
半径方向において前記内側部分（１３２）の反対側に形成され、前記前端（１２０）と前記後端（１２２）との間に延伸する外側部分（１３４）と、
前記外側部分（１３４）を通じて延伸する複数のノズル（１４６）と、
前記内側部分（１３２）と前記外側部分（１３４）との間に形成された中間部分（１３６）と、
前記中間部分（１３６）を通じて延伸する複数のベンチュリ（１４８）であって、前記複数のベンチュリ（１４８）は、前記複数のノズル（１４６）と流体連通している、複数のベンチュリ（１４８）と
を含む、複数の高温ガス経路（ＨＧＰ）構成要素（１００）と
を備える、タービンシステム（１０）。
【発明の詳細な説明】
【技術分野】
【０００１】
本開示は、一般に、タービンシステムのための高温ガス経路構成要素に関し、より詳細には、その中に形成された複数のノズルおよびベンチュリを含む高温ガス経路構成要素に関する。
【背景技術】
【０００２】
ガスタービンシステムなどの従来のターボ機械は、発電機のための動力を生成する。一般に、ガスタービンシステムは、ガスタービンシステムのタービン構成要素に流体（例えば、高温ガス）を通すことによって動力を生成する。より具体的には、吸入空気が、圧縮機に引き込まれて圧縮される。圧縮されると、吸入空気は燃料と混合されて燃焼生成物を形成し、燃焼生成物はガスタービンシステムの燃焼器によって反応させられてガスタービンシステムの動作流体（例えば、高温ガス）を形成することができる。次に流体は、動力を生成するために、タービン構成要素の複数の回転ブレードおよびロータまたはシャフトを回転させるために流体流路を通じて流れることができる。流体は、複数の回転ブレードと、回転ブレードの間に位置決めされた複数の静止ノズルまたはベーンを介して、タービン構成要素を通して導くことができる。複数の回転ブレードがガスタービンシステムのロータを回転させると、ロータに結合された発電機は、ロータの回転から動力を生成することができる。
【０００３】
動作効率を改善するために、タービン構成要素は、タービンシュラウドおよび／またはノズルバンドのような高温ガス経路構成要素を含み、動作流体の流路をさらに画定することができる。タービンシュラウドは、例えば、タービン構成要素の回転ブレードに半径方向に隣接して位置決めすることができ、タービン構成要素内に動作流体を導き、かつ／または動作流体の流体流路の外側境界を画定することができる。動作中、タービンシュラウドは、タービン構成要素を通じて流れる高温の動作流体に曝される場合がある。時間の経過および／または曝露中、タービンシュラウドは、望ましくない熱膨張を受ける可能性がある。タービンシュラウドの熱膨張により、シュラウドが損傷する可能性があり、かつ／またはシュラウドが動作流体の流体流路を画定するためにタービン構成要素内でシールを維持することができない場合がある。タービンシュラウドが損傷したり、タービン構成要素内で十分なシールが形成されなくなったりすると、動作流体が流路から漏れることがあり、したがってタービン構成要素およびタービンシステム全体の動作効率が低下する。
【０００４】
熱膨張および劣化を最小限に抑えるため、タービンシュラウドは典型的には冷却される。タービンシュラウドを冷却するための従来のプロセスは、フィルム冷却および衝突冷却を含む。フィルム冷却は、タービン構成要素の動作中にタービンシュラウドの高温の表面にわたって冷却空気を流すプロセスを伴う。衝突冷却は、タービンシュラウドを通して形成された孔または開口を利用して、動作中にタービンシュラウドの様々な部分の低温側に冷却空気を提供する。通常、従来のシステムでは、高圧の冷却空気のみが、冷却のためにタービンシュラウドに供給され、タービンシュラウドによって利用され得る。これは、冷却のために従来のタービンシュラウドに供給される冷却空気がタービン高温作動流体の内圧を克服して、高温流体が流路を出て、高温流体から損傷を受ける可能性のある構成要素空間に入らないことを保証しなければならないためである。その結果、従来のガスタービン静止構成要素を通じて流れる実質的にすべてまたはほとんどの冷却空気は、高圧源から供給されなければならず、高圧源はより大量の圧縮機のポンプ仕事を受ける。圧力が低すぎる場合、そうでなければ構成要素を冷却するために利用できる可能性のある低圧源からの冷却空気を使用することができない。これにより、ガスタービンシステムの運転効率が低下する可能性があり、および／または、ガスタービンシステム内に補助的な高圧空気発生システムを組み込む必要がある場合がある。このように、補助的な高圧空気発生システムを使用してシステムに追加の高圧空気を供給すると、ガスタービンシステムに望ましくない構築、設置、保守、および／または運用費用が追加される。
【発明の概要】
【０００５】
本開示の第１の態様は、タービンシステムの高温ガス経路（ＨＧＰ）構成要素を提供する。ＨＧＰ構成要素は、本体を含み、本体は、前端と、前端の反対側に位置決めされた後端と、タービンシステムの高温ガス流路に隣接して位置決めされた内側部分であって、内側部分は、前端と後端との間に延伸する、内側部分と、半径方向において内側部分の反対側に形成され、前端と後端との間に延伸する外側部分と、外側部分を通じて延伸する複数のノズルと、内側部分と外側部分との間に形成された中間部分と、中間部分を通じて延伸する複数のベンチュリであって、複数のベンチュリは、複数のノズルと流体連通している、複数のベンチュリとを含む。
【０００６】
本開示の第２の態様は、タービンシステムであって、タービンケーシングと、タービンケーシング内でロータの周りに円周方向に位置決めされた複数のタービンブレードと、タービンケーシングの周りに円周方向に配置され、複数のタービンブレードに半径方向に隣接して位置決めされた複数の支持体であり、複数の支持体の各々は、支持体に隣接して支持体の上流を流れる高圧流体と流体連通する少なくとも１つの高圧供給導管、および、支持体に隣接して支持体の下流を流れる低圧流体と流体連通する少なくとも１つの低圧供給導管を含む、複数の支持体と、複数の支持体に結合され、複数の支持体と複数のタービンブレードとの間で半径方向に延伸する複数の高温ガス経路（ＨＧＰ）構成要素であり、複数のＨＧＰ構成要素の各々は、本体を含み、本体は、前端と、前端の反対側に位置決めされた後端と、複数のタービンブレードに隣接して位置決めされた内側部分であって、内側部分は、前端と後端との間に延伸する、内側部分と、半径方向において内側部分の反対側に形成され、前端と後端との間に延伸する外側部分と、外側部分を通じて延伸する複数のノズルと、内側部分と外側部分との間に形成された中間部分と、中間部分を通じて延伸する複数のベンチュリであって、複数のベンチュリは、複数のノズルと流体連通している、複数のベンチュリとを含む、複数の高温ガス経路（ＨＧＰ）構成要素とを含む、タービンシステムを提供する。
【０００７】
本開示の第３の態様は、タービンシステムであって、タービンケーシングと、タービンケーシングの周りに円周方向に配置されている複数の支持体であり、複数の支持体の各々は、支持体に隣接して支持体の下流を流れる高圧流体と流体連通する少なくとも１つの高圧供給導管、および、支持体に隣接して支持体の上流を流れる低圧流体と流体連通する少なくとも１つの低圧供給導管を含む、複数の支持体と、複数の支持体に結合されている複数のステータベーンであり、複数のステータベーンは、タービンケーシングの周りに円周方向に位置決めされており、複数のステータベーンの各ステータベーンは、翼形部、および翼形部に結合されている高温ガス経路（ＨＧＰ）構成要素を含み、ＨＧＰ構成要素は、本体を含み、本体は、前端と、前端の反対側に位置決めされた後端と、複数のタービンブレードに隣接して位置決めされた内側部分であって、内側部分は、前端と後端との間に延伸する、内側部分と、半径方向において内側部分の反対側に形成され、前端と後端との間に延伸する外側部分と、外側部分を通じて延伸する複数のノズルと、内側部分と外側部分との間に形成された中間部分と、中間部分を通じて延伸する複数のベンチュリであって、複数のベンチュリは、複数のノズルと流体連通している、複数のベンチュリとを含む、複数のステータベーンとを含む、タービンシステムを提供する。
【０００８】
本開示の例示的な態様は、本明細書において説明される問題および／または検討されていない他の問題を解決するように設計される。
【０００９】
本開示のこれらおよび他の特徴は、本開示の様々な実施形態を示す添付の図面と併せて、本開示の様々な態様の以下の詳細な説明から、より容易に理解されよう。
【図面の簡単な説明】
【００１０】
【図１】本開示の実施形態による、ガスタービンシステムの概略図である。
【図２】本開示の実施形態による、タービンブレード、ステータベーン、ロータ、ケーシング、高温ガス経路構成要素、および支持体を含む図１のガスタービンシステムのタービンの一部の側面図である。
【図３】本開示の実施形態による、図２のガスタービンシステムの一部の拡大側面図である。
【図４】本開示の実施形態による、図２および図３の高温ガス経路構成要素の等角図である。
【図５】本開示の実施形態による、図４の線ＣＳ−ＣＳに沿った高温ガス経路構成要素の側面断面図である。
【図６】本開示の実施形態による、図５の高温ガス経路構成要素の拡大側面断面図である。
【図７】本開示の追加の実施形態による、図２のガスタービンシステムの一部の拡大側面図である。
【図８】本開示の実施形態による、図７に示す高温ガス経路構成要素の側面断面図である。
【図９】本開示のさらなる実施形態による、図２のガスタービンシステムの一部の拡大側面図である。
【図１０】本開示の追加の実施形態による、図１のガスタービンシステムの一部の拡大側面図である。
【図１１】本開示の実施形態による、図１０の高温ガス経路構成要素の側面断面図である。
【図１２】本開示の別の実施形態による、図１のガスタービンシステムの一部の拡大側面図である。
【図１３】本開示の実施形態による、図１２の高温ガス経路構成要素の側面断面図である。
【図１４】本開示の追加の実施形態による、２つのタービンブレード、高温ガス経路構成要素を含むステータベーン、ロータ、ケーシング、および支持体を含む図１のガスタービンシステムのタービンの一部の側面図である。
【図１５】本開示の追加の実施形態による、図１４のガスタービンシステムの一部の拡大側面図である。
【図１６】本開示の実施形態による高温ガス経路構成要素を表すコードを記憶する非一時的コンピュータ可読記憶媒体を含む積層造形プロセスのブロック図である。
【発明を実施するための形態】
【００１１】
本開示の図面は原寸に比例していないことに留意されたい。図面は、本開示の典型的な態様だけを示すことを目的としており、したがって、本開示の範囲を限定するものとみなすべきではない。図面では、図面間で類似する符号は、類似する要素を表す。
【００１２】
最初の問題として、本開示を明確に説明するために、本開示の範囲内の関連する機械構成要素を参照して説明するときに、特定の専門用語を選択することが必要になる。これを行う場合、可能な限り、一般的な工業専門用語が、その受け入れられた意味と同じ意味で使用および利用される。別途記載のない限り、このような専門用語は、本出願の文脈および添付の特許請求の範囲と一致する広義の解釈を与えられるべきである。当業者であれば、多くの場合、特定の構成要素がいくつかの異なるまたは重複する用語を使用して参照されることがあることを理解するであろう。単一の部品であるとして本明細書に記載され得るものは、複数の構成要素からなるものとして別の文脈を含み、かつ別の文脈で参照されてもよい。代替的に、複数の構成要素を含むものとして本明細書に記載することができるものは、単一の部品として他の場所で参照されてもよい。
【００１３】
さらに、本明細書においてはいくつかの記述上の用語を定常的に使用する場合があり、この点についてこれらの用語を定義することが有用であることが証明されるはずである。これらの用語およびその定義は、別途記載のない限り、以下の通りである。本明細書において使用する場合、「下流」および「上流」とは、タービンエンジンを通る作動流体または、例えば、燃焼器を通る空気の流れ、またはタービンの構成要素システムの１つを通る冷却剤などの流体の流れに対する方向を示す用語である。「下流」という用語は、流体の流れの方向に相当し、「上流」という用語は、流れの反対の方向を指す。「前方」および「後方」という用語は、別途指定のない限り、方向を指し、「前方」はエンジンの前方または圧縮機端部を指し、「後方」はエンジンの後方またはタービン端部を指す。加えて、「先行する」および「後続する」という用語は、それぞれ、「前方」および「後方」という用語と同様の記述で使用され、および／または理解することができる。多くの場合、異なる半径方向、軸方向および／または円周方向の位置にある部分を記述することが要求される。「Ａ」軸は、軸方向を表す。本明細書において使用する場合、「軸方向の」および／または「軸方向に」という用語は、タービンシステム（特に、ロータ区画）の回転軸と実質的に平行な軸Ａに沿った物体の相対的な位置／方向を指す。さらに本明細書において使用する場合、「半径方向の」および／または「半径方向に」という用語は、軸Ａと実質的に垂直でありかつただ１つの場所において軸Ａと交差する方向「Ｒ」（図１参照）に沿った物体の相対的な位置／方向を指す。最後に、「円周方向の」という用語は、軸Ａの周りの移動または位置を指す（例えば、方向「Ｃ」）。
【００１４】
上記で示したように、本開示は、タービンシステムのための高温ガス経路構成要素を提供し、より詳細には、その中に形成された複数のノズルおよびベンチュリを含む高温ガス経路構成要素を提供する。
【００１５】
これらおよび他の実施形態は、図１〜図１６を参照して以下に説明される。しかし、当業者であれば、これらの図に関して本明細書に与えられた詳細な説明は例示のためのものであり、限定するものとして解釈すべきではないことを容易に理解するであろう。
【００１６】
図１は、例示的なガスタービンシステム１０の概略図を示す。ガスタービンシステム１０は、圧縮機１２を含むことができる。圧縮機１２は、流入する空気１８の流れを圧縮する。圧縮機１２は、圧縮空気２０の流れを燃焼器２２に送達する。燃焼器２２は、圧縮空気２０の流れを加圧された燃料２４の流れと混合し、この混合物に点火して燃焼ガス２６の流れを生成する。単一の燃焼器２２のみが示されているが、ガスタービンシステム１０は、任意の数の燃焼器２２を含むことができる。次いで、燃焼ガス２６の流れは、典型的には翼形部（図２参照）およびステータベーン（図２参照）を含む複数のタービンブレードを含むタービン２８に送達される。燃焼ガス２６の流れは、タービン２８、より具体的にはタービン２８の複数のタービンブレードを駆動し、機械的仕事を発生させる。タービン２８で発生された機械的仕事は、タービン２８を通じて延伸するロータ３０を介して圧縮機１２を駆動し、発電機などの外部負荷３２を駆動するために使用することができる。
【００１７】
ガスタービンシステム１０はまた、排気フレーム３４を含むことができる。図１に示すように、排気フレーム３４は、ガスタービンシステム１０のタービン２８に隣接して位置決めすることができる。より具体的には、排気フレーム３４は、タービン２８に隣接して位置決めすることができ、タービン２８の、および／または燃焼器２２からタービン２８に流れる燃焼ガス２６の流れの実質的に下流に位置決めすることができる。本明細書において論じられているように、排気フレーム３４の一部（例えば、外側ケーシング）は、タービン２８のエンクロージャ、シェル、またはケーシング３６に直接結合することができる。
【００１８】
燃焼ガス２６が流れてタービン２８を駆動した後、燃焼ガス２６は、排気フレーム３４を通じて流れ方向（Ｄ）に排気、流入および／または排出され得る。図１に示す非限定的な例では、燃焼ガス２６は、流れ方向（Ｄ）に排気フレーム３４を通じて流れることができ、ガスタービンシステム１０から（例えば、大気に）排出され得る。ガスタービンシステム１０が複合サイクル発電プラント（例えば、ガスタービンシステムおよび蒸気タービンシステムを含む）の一部である別の非限定的な例では、燃焼ガス２６は、排気フレーム３４から排出され得、流れ方向（Ｄ）で複合サイクル発電プラントの排熱回収ボイラに流入してもよい。
【００１９】
図２を参照すると、タービン２８の一部が示されている。具体的には、図２は、タービン２８のケーシング３６内に位置決めされたタービンブレード３８（１つを示す）の段、およびステータベーン４０（１つを示す）の段を含むタービン２８の一部の側面図を示す。本明細書において論じられているように、タービンブレード３８の各段（例えば、第１の段、第２の段（図示せず）、第３の段（図示せず））は、ロータ３０に結合されてその周囲に円周方向に位置決めされ得、かつ燃焼ガス２６によって駆動されてロータ３０を回転させることができる複数のタービンブレード３８を含んでもよい。加えて、ステータベーン４０の各段（例えば、第１の段、第２の段（図示せず）、第３の段（図示せず））は、タービン２８のケーシング３６に結合され、かつ／または、その周りに円周方向に位置決めされ得る複数のステータベーンを含んでもよい。図２に示される非限定的な例では、ステータベーン４０は、複数の高温ガス経路（ＨＧＰ）構成要素２００を含むことができる。例えば、ステータベーン４０のＨＧＰ構成要素２００は、タービン２８のケーシング３６に隣接して位置決めされ、かつ／またはステータベーン４０をタービン２８のケーシング３６に結合する外側プラットフォーム２００Ａ、および外側プラットフォーム２００Ａの反対側に位置決めされる内側プラットフォーム２００Ｂを含み、かつ／または、それらとして形成することができる。タービン２８のステータベーン４０はまた、外側プラットフォーム２００Ａと内側プラットフォーム２００Ｂとの間に位決めされた翼形部４２をも含むことができる。ステータベーン４０の外側プラットフォーム２００Ａおよび内側プラットフォーム２００Ｂは、ステータベーン４０を介して流れる燃焼ガス２６の流路（ＦＰ）を画定することができる。
【００２０】
ステータベーン４０は、支持体２０２を介してケーシング３６に結合することができる。支持体２０２は、タービン２８のケーシング３６から半径方向内向きに延伸することができ、ステータベーン４０の外側プラットフォーム２００Ａとして形成されたＨＧＰ構成要素に結合されかつ／またはＨＧＰ構成要素を受け入れて、ステータベーン４０をケーシング３６におよび／またはケーシング３６内に結合、位置決め、および／または固定するように構成され得る。非限定的な例では、支持体２０２は、タービン２８のケーシング３６に結合および／または固定されてもよい。より具体的には、支持体２０２は、ケーシング３６の周りに円周方向に配置することができ、タービンブレード３８に隣接して軸方向に位置決めすることができる。別の非限定的な例（図示せず）では、支持体２０２は、ステータベーン４０をケーシング３６に、かつ／またはケーシング３６内に結合、位置決め、および／または固定するために、ケーシング３６と一体に形成され得る。別の非限定的な例（図示せず）では、本明細書において論じられているように、タービンブレード３８に関連付けられたＨＧＰ構成要素の支持体に支持体２０２を直接的に結合および／または固定することができる。
【００２１】
タービン２８の各タービンブレード３８は、ロータ３０から半径方向に延伸し、タービン２８を通じて流れる燃焼ガス２６の流路（ＦＰ）内に位置決めされた翼形部４６を含むことができる。各翼形部４６は、ロータ３０の半径方向反対側に位置決めされた先端部分４８を含むことができる。タービンブレード３８およびステータベーン４０はまた、ケーシング３６内で互いに軸方向に隣接して位置決めすることもできる。図２に示す非限定的な例では、ステータベーン４０は、タービンブレード３８の軸方向に隣接して下流に位置決めされてもよい。明確化のために、タービン２８のすべてのタービンブレード３８、ステータベーン４０および／またはロータ３０のすべてが示されているわけではない。加えて、タービン２８の単一の段のタービンブレード３８およびステータベーン４０の一部のみが図２に示されているが、タービン２８は、タービン２８のケーシング３６全体にわたって軸方向に位置決めされた、複数の段のタービンブレードおよびステータベーンを含むことができる。
【００２２】
ガスタービンシステム１０のタービン２８（図１を参照）はまた、複数の高温ガス経路（ＨＧＰ）構成要素１００を含むことができる。図２に示される非限定的な例では、ＨＧＰ構成要素１００は、タービン２８内に含まれるタービンシュラウドであり得る。図２〜図１３に関して本明細書において論じられているこの非限定的な例では、ＨＧＰ構成要素１００およびタービンシュラウドを交換可能に使用することができる。タービン２８は、ＨＧＰ構成要素１００（１つが示されている）の段を含むことができる。ＨＧＰ構成要素１００は、タービンブレード３８の段および／またはステータベーン４０の段に対応し得る。すなわち、本明細書において論じられているように、ＨＧＰ構成要素１００の段は、タービンブレード３８の段および／またはステータベーン４０の段に隣接するタービン２８内に位置決めされ、タービン２８を通じて流れる燃焼ガス２６の流路（ＦＰ）と相互作用してシールを提供することができる。図２に示す非限定的な例では、ＨＧＰ構成要素１００の段は、タービンブレード３８の段に半径方向に隣接して位置決めすることができ、かつ／または実質的に包囲もしくは取り囲むことができる。ＨＧＰ構成要素１００は、タービンブレード３８の翼形部４６の先端部分４８に半径方向に隣接して位置決めすることができる。加えて、ＨＧＰ構成要素１００は、タービン２８のステータベーン４０に軸方向に隣接しておよび／または上流に位置決めすることもできる。
【００２３】
ステータベーン４０と同様に、ＨＧＰ構成要素１００の段は、タービン２８のケーシング３６に結合され、その周りに円周方向に位置決めされ得る複数のＨＧＰ構成要素１００を含むことができる。図２に示す非限定的な例では、ＨＧＰ構成要素１００は、タービン２８のケーシング３６から半径方向内向きに延伸する支持体１０２を介してケーシング３６に結合されてもよい。支持体１０２は、ＨＧＰ構成要素１００の締結具またはフック（図４参照）に結合されおよび／またはそれらを受け入れ、ＨＧＰ構成要素１００をタービン２８のケーシング３６に結合、位置決め、および／または固着するように構成することができる。非限定的な例では、支持体１０２は、タービン２８のケーシング３６に結合および／または固定されてもよい。より具体的には、支持体１０２は、ケーシング３６の周りに円周方向に配置することができ、半径方向においてタービンブレード３８に隣接して位置決めすることができる。別の非限定的な例（図示せず）では、支持体１０２は、ＨＧＰ構成要素１００をケーシング３６に結合、位置決め、および／または固着するためにケーシング３６と一体に形成されてもよい。タービンブレード３８および／またはステータベーン４０と同様に、タービン２８のＨＧＰ構成要素１００の段の一部のみが図２に示されているが、タービン２８は、タービン２８のケーシング３６全体にわたって軸方向に位置決めされ、支持体１０２を使用してケーシング３６に結合されている、ＨＧＰ構成要素１００の複数の段を含むことができる。
【００２４】
図３を参照すると、ＨＧＰ構成要素１００および支持体１０２を含むタービン２８の拡大部分が示されている。本明細書において論じられているように、タービン２８のＨＧＰ構成要素１００および支持体１０２は、タービン２８の動作中にＨＧＰ構成要素１００を冷却するために、高圧流体（ＨＰＦ）とともに低圧流体（ＬＰＦ）の使用を可能にする様々な追加の特徴を含むことができる。ＨＧＰ構成要素１００および／または支持体１０２にこれらの特徴を含めることにより、ＨＧＰ構成要素１００を冷却するのに必要な高圧流体の量を減らすことができ、これにより、タービンシステム１０（図１を参照）内の燃料消費および／または発熱率を減らすことができる。
【００２５】
図２および図３に示されるように、支持体１０２は、高圧流体チャンバ１０４を含み得る。高圧流体チャンバ１０４は、ＨＧＰ構成要素１００に半径方向に隣接して、および／または半径方向外側に、支持体１０２内に形成されてもよい。さらに、本明細書において論じられているように、高圧流体チャンバ１０４は、ＨＧＰ構成要素１００の特徴（例えば、ノズル）と流体的に結合し、かつ／または流体連通し得る。高圧流体チャンバ１０４は、ガスタービンシステム１０（図１参照）の作動中にＨＧＰ構成要素１００に後に提供され得るタービン２８を通じておよび／またはタービン２８の中を流れる高圧流体（ＨＰＦ）を受け入れるために支持体１０２内に形成され得る。図２および図３に示される非限定的な例では、高圧流体（ＨＰＦ）がタービン２８および／またはタービンケーシング３６内を流れていてもよい。具体的には、ＨＰＦは、支持体１０２に実質的に隣接し、かつ／またはその上流にあるタービン２８の領域５０内を、および／または領域５０を通じて流れていてもよい。ＨＰＦは、タービンシステム１０（図１を参照）の作動中にＨＧＰ構成要素１００を冷却するのに適したタービン２８内を流れる任意の適切な流体（例えば、空気）とすることができる。非限定的な例では、ＨＰＦは、タービン２８の圧縮機吐出チャンバ（ＣＤＣ）から流れる流体であってもよい。
【００２６】
支持体１０２は、その中に形成された少なくとも１つの高圧供給導管１０６を含むこともできる。高圧供給導管１０６は、高圧流体チャンバ１０４と流体連通し、かつ／または流体的に結合されていてもよい。すなわち、高圧供給導管１０６は、ＨＰＦを含む領域５０および高圧流体チャンバ１０４と流体連通することができる。その結果、高圧供給導管１０６は、領域５０を通じて流れるＨＰＦを受け入れることができ、支持体１０２の高圧流体チャンバ１０４にＨＰＦを提供することができる。高圧供給導管１０６から受け入れられると、高圧流体チャンバ１０４は、本明細書において論じられているように、ＨＧＰ構成要素１００にＨＰＦを提供することができる。非限定的な例では、単一の高圧供給導管１０６のみを含むものとして示されているが、支持体１０２は、ＨＧＰ構成要素１００にＨＰＦを提供するための複数の高圧供給導管１０６（例えば、図７）を含み得ることが理解される。
【００２７】
図２および図３に示すように、支持体１０２は、少なくとも１つの低圧供給導管１０８を含むこともできる。低圧供給導管（複数可）１０８は、低圧流体（ＬＰＦ）を含み得るタービンケーシング３６内の領域５２と流体連通し、かつ／または流体的に結合することができる。ＬＰＦは、タービン２８の支持体１０２に実質的に隣接して、かつ／またはその下流に流れていてもよい。したがって、ＬＰＦを含む領域５２は、支持体１０２とステータベーン４０の外側プラットフォーム２００Ａとの間に形成され得る。さらに、図２および図３に示され、本明細書において論じられているように、低圧供給導管（複数可）１０８は、タービンシステム１０（図１を参照）の動作中に領域５２からＨＧＰ構成要素１００にＬＰＦを提供するために、ＨＧＰ構成要素１００に流体的に結合し、かつ／または流体連通することができる。本明細書において論じられているように、ＬＰＦは、ＨＧＰ構成要素１００を冷却するためにタービン２８内を流れる任意の適切な流体（例えば、空気）であってもよい。非限定的な例では、ＬＰＦは、タービンブレード３８とステータベーン４０との間を流れるタービン２８の圧縮機抽出流体であってもよい。
【００２８】
図２および図３に示される非限定的な例では、支持体１０２は、単一の、連続的な、かつ／または分離されていない構成要素または部品を含み、かつ／またはそれとして形成され得る。非限定的な例では、支持体１０２が単一の、連続的な、かつ／または分離されていない構成要素または部品から形成されるため、支持体１０２は、支持体１０２を完全に形成するための様々な部分の構築、接合、結合、および／または組み立てを必要としなくてもよく、および／または支持体１０２がタービンシステム１０（図１参照）内に設置および／または実装され得る前に様々な部分の構築、接合、結合、および／または組み立てを必要としなくてもよい。むしろ、単一の、連続的な、かつ／または分離されていない支持体１０２が、様々な特徴（例えば、高圧供給導管１０６、低圧供給導管１０８）を含むように構築されると、支持体１０２はタービンシステム１０および／またはタービンケーシング３６内に直ちに設置され得る。
【００２９】
非限定的な例では、支持体１０２、およびその中に形成される様々な特徴（例えば高圧流体チャンバ１０４、高圧供給導管１０６、低圧供給導管１０８）は、任意の適切な積層造形プロセス（複数可）および／または方法を使用して形成されてもよい。例えば、支持体１０２は、直接金属レーザ溶融（ＤＭＬＭ）（選択的レーザ溶融（ＳＬＭ）とも呼ばれる）、直接金属レーザ焼結（ＤＭＬＳ）、電子ビーム溶融（ＥＢＭ）、ステレオリソグラフィ（ＳＬＡ）、バインダ噴射、または任意の他の適切な積層造形プロセスによって形成されてもよい。加えて、支持体１０２は、積層造形プロセス（複数可）によって利用され得る、および／または動作中にガスタービンシステム１０内の支持体１０２が経験する動作特性（例えば、曝露温度、曝露圧力など）に耐えることが可能であり得る任意の材料から形成することができる。
【００３０】
別の非限定的な例では、支持体１０２は、複数のおよび／または別個の部分または構成要素として形成されてもよい。例えば、支持体１０２は、支持体１０２の様々な特徴の少なくとも一部を含む２つの別個の構成要素または部品から形成されてもよい。支持体１０２を形成する２つの構成要素は、支持体１０２がガスタービンシステム１０内のタービン２８に設置される前に、互いに接合、結合、および／または固定することができる。支持体１０２を形成する各構成要素、および支持体１０２の様々な特徴は、任意の適切な製造プロセス（複数可）および／または方法を使用して形成され得る。例えば、２つの別個の構成要素を含む支持体１０２は、フライス加工、旋削、切削、鋳造、成形、穿孔などによって形成されてもよい。さらなる非限定的な例では、支持体１０２は、フライス加工、旋削加工、切削加工、穿孔加工などを含むがこれらに限定されない適切な材料削除または除去プロセスを実行することにより、単一の材料片から形成されてもよい。
【００３１】
図４〜図６は、図１のガスタービンシステム１０のタービン２８のＨＧＰ構成要素１００の様々な図を示す。具体的には、図４はＨＧＰ構成要素１００の等角図を示し、図５は図４の線ＣＳ−ＣＳに沿ったＨＧＰ構成要素１００の側面断面図を示し、図６は図５のＨＧＰ構成要素１００の一部の拡大側面断面図を示す。
【００３２】
ＨＧＰ構成要素１００は、本体１１０を含み得る。図４および図５に示される非限定的な例では、ＨＧＰ構成要素１００は単一本体１１０を含み、かつ／またはそれとして形成され、結果、ＨＧＰ構成要素１００は、単一の、連続的な、かつ／または分離されていない構成要素または部品になる。図４および図５に示す非限定的な例では、ＨＧＰ構成要素１００が単一本体を含むため、ＨＧＰ構成要素１００は、ＨＧＰ構成要素１００を完全に形成するための様々な部分の構築、接合、結合、および／または組み立てを必要としなくてもよく、および／またはＨＧＰ構成要素１００がタービンシステム１０（図１参照）内に設置および／または実装され得る前に様々な部分の構築、接合、結合、および／または組み立てを必要としなくてもよい。むしろ、本明細書において論じられているように、ＨＧＰ構成要素１００の単一の、連続した、および／または分離されていない単一本体１１０が構築されると、ＨＧＰ構成要素１００は、タービンシステム１０内に直ちに設置することができる。
【００３３】
非限定的な例において、ＨＧＰ構成要素１００の単一本体１１０、ならびにＨＧＰ構成要素１００の様々な構成要素および／または特徴は、任意の適切な積層造形プロセス（複数可）および／または方法を使用して形成することができる。例えば、単一本体１１０を含むＨＧＰ構成要素１００は、直接金属レーザ溶融（ＤＭＬＭ）（選択的レーザ溶融（ＳＬＭ）とも呼ばれる）、直接金属レーザ焼結（ＤＭＬＳ）、電子ビーム溶融（ＥＢＭ）、ステレオリソグラフィ（ＳＬＡ）、バインダ噴射、または任意の他の適切な積層造形プロセスによって形成されてもよい。加えて、ＨＧＰ構成要素１００の単一本体１１０は、ＨＧＰ構成要素１００を形成するために積層造形プロセスによって利用され得る、および／または動作中にガスタービンシステム１０内のＨＧＰ構成要素１００が経験する動作特性（例えば、曝露温度、曝露圧力など）に耐えることが可能であり得る任意の材料から形成することができる。
【００３４】
別の非限定的な例では、ＨＧＰ構成要素１００の本体１１０は、複数のおよび／または別個の部分または構成要素（図７および図８参照）として形成されてもよい。例えば、本明細書において論じられているように、ＨＧＰ構成要素１００の本体１１０は、フック１１２、１１８および内面を含むことができる第１の部分と、ＨＧＰ構成要素１００の外面（および内部特徴の一部）を含むことができる第２の部分とから形成することができる。ＨＧＰ構成要素１００の本体１１０を形成する２つの構成要素は、ガスタービンシステム１０内のタービン２８に設置される前に、ＨＧＰ構成要素１００を形成するために互いに接合、結合、および／または固定することができる。本体１１０を形成する各構成要素、ならびにＨＧＰ構成要素１００の様々な構成要素および／または特徴は、任意の適切な製造プロセス（複数可）および／または方法を使用して形成され得る。例えば、２つの別個の構成要素を含む本体１１０を含むＨＧＰ構成要素１００は、フライス加工、旋削、切削、鋳造、成形、穿孔などによって形成されてもよい。
【００３５】
ＨＧＰ構成要素１００はまた、様々な端部、側面、および／または表面を含むことができる。例えば、図４および図５に示すように、ＨＧＰ構成要素１００の本体１１０は、前端１２０と、前端１２０の反対側に位置決めされた後端１２２とを含むことができる。前端１２０は、タービン２８内に画定された流路（ＦＰ）を通じて流れる燃焼ガス２６が、ＨＧＰ構成要素１００の本体１１０の後端１２２に隣接して流れる前に前端１２０に隣接して流れることができるように、後端１２２の上流に位置決めすることができる。図３および図４に示すように、前端１２０は、ケーシング３６（図２参照）内でＨＧＰ構成要素１００を結合、位置決め、および／または固着するようにするために、タービン２８のケーシング３６の支持体１０２に結合および／または係合するように構成された第１のフック１１２を含むことができる。加えて、後端１２２は、第１のフック１１２の反対側の本体１１０に位置決めおよび／または形成された第２のフック１１８を含むことができる。第１のフック１１２と同様に、第２のフック１１８は、ケーシング３６（図２参照）内でＨＧＰ構成要素１００を結合、位置決め、および／または固着するようにするために、タービン２８のケーシング３６の支持体１０２に結合および／または係合するように構成され得る。
【００３６】
加えて、ＨＧＰ構成要素１００の本体１１０はまた、第１の側面１２４と、第１の側面１２４の反対側に位置決めされた第２の側面１２６とを含むことができる。図４に示すように、第１の側面１２４および第２の側面１２６は、前端１２０と後端１２２との間に延伸および／または形成され得る。本体１１０の第１の側面１２４および第２の側面１２６は、実質的に閉じていてもよく、かつ／または中実端壁もしくはキャップを含んでもよい。したがって、本明細書において論じられているように、第１の側面１２４および第２の側面１２６の中実端壁は、タービン２８内の流体（例えば、燃焼ガス２６、冷却流体）がＨＧＰ構成要素１００に入ること、ならびに／または冷却流体が第１の側面１２４および／もしくは第２の側面１２６を介してＨＧＰ構成要素１００内に形成された内側部分（例えば、通路、プレナム）から出るのを実質的に防止することができる。
【００３７】
図４および図５に示されるように、ＨＧＰ構成要素１００の本体１１０はまた、外面１２８も含み得る。非限定的な例では、外面１２８は、ＨＧＰ構成要素１００の本体１１０と支持体１０２との間に形成された高圧流体チャンバ１０４に面し得る（図２を参照）。より具体的には、外面１２８は、支持体１０２内に形成された高圧流体チャンバ１０４内に位置決め、形成、対面、および／または直接露出させることができる。本明細書において論じられているように、支持体１０２の高圧流体チャンバ１０４は、タービン２８の動作中にＨＰＦを受け入れ、および／またはＨＧＰ構成要素１００に提供することができる。高圧流体チャンバ１０４に面することに加えて、ＨＧＰ構成要素１００の本体１１０の外面１２８はまた、それぞれ前端１２０と後端１２２との間、ならびに第１の側面１２４と第２の側面１２６との間に形成、延伸、および／または位置決めされ得る。
【００３８】
ＨＧＰ構成要素１００の本体１１０はまた、外面１２８の反対側に形成された内面１３０も含むことができる。すなわち、図４および図５の非限定的な例に示すように、ＨＧＰ構成要素１００の本体１１０の内面１３０は、外面１２８から半径方向反対側および／または半径方向内側に形成されてもよい。図２に戻って簡単に参照し、図４および図５を引き続き参照すると、内面１３０は、タービン２８を通って流れる燃焼ガス２６の高温ガス流路（ＦＰ）に面することができる（図２参照）。より具体的には、内面１３０は、ガスタービンシステム１０のタービン２８のタービンケーシング３６を通って流れる燃焼ガス２６の高温ガス流路（ＦＰ）に位置決め、形成、対面、および／または直接露出することができる。加えて、図２に示すように、ＨＧＰ構成要素１００の本体１１０の内面１３０は、翼形部４６の先端部分４８に半径方向に隣接して位置決めすることができる。燃焼ガス２６の高温ガス流路（ＦＰ）に面することに加えて、外面１２８と同様に、ＨＧＰ構成要素１００の本体１１０の内面１３０はまた、それぞれ前端１２０と後端１２２との間、ならびに第１の側面１２４と第２の側面１２６との間に形成および／または位置決めされ得る。
【００３９】
図５および図６を参照し、かつ図２〜図４を引き続き参照して、ＨＧＰ構成要素１００の追加の特徴をここで説明する。ＨＧＰ構成要素１００は、内側部分１３２を含むことができる。図５に示すように、内側部分１３２は、ＨＧＰ構成要素１００の単一本体１１０の一体部分として形成することができる。加えて、内側部分１３２は、内面１３０を含むことができ、かつ／または内面１３０は、ＨＧＰ構成要素１００の本体１１０の内側部分１３２上に形成することができる。ＨＧＰ構成要素１００の本体１１０の内側部分１３２は、それぞれ前端１２０と後端１２２との間、ならびに第１の側面１２４と第２の側面１２６との間に形成され、位置決めされ、および／または延伸し得る。加えて、内側部分１３２は、本体１１０の第１の側面１２４および第２の側面１２６上に形成された中実側壁と一体に形成されてもよい（図４参照）。図２および図３に戻って簡単に参照すると、ＨＧＰ構成要素１００の内側部分１３２はまた、タービンシステム１０のタービン２８の高温ガス流路（ＦＰ）に隣接して位置決めすることもでき、および／または、翼形部４６の先端部分４８に半径方向に隣接しておよび／またはそこから半径方向外側に位置決めすることもできる。本明細書において論じられているように、ＨＧＰ構成要素１００の内側部分１３２は、ＨＧＰ構成要素１００内に少なくとも１つの冷却チャネルを少なくとも部分的に形成および／または画定することができる。
【００４０】
ＨＧＰ構成要素１００は、内側部分１３２の半径方向反対側に形成された外側部分１３４を含むことができる。内側部分１３２と同様に、図５に示すように、外側部分１３４は、ＨＧＰ構成要素１００の単一本体１１０の一体部分として形成することができる。外側部分１３４は、外面１２８を含むことができ、かつ／または外面１２８は、ＨＧＰ構成要素１００の本体１１０の外側部分１３４上に形成することができる。ＨＧＰ構成要素１００の本体１１０の外側部分１３４は、それぞれ前端１２０と後端１２２との間、ならびに第１の側面１２４と第２の側面１２６との間に形成され、位置決めされ、および／または延伸し得る。加えて、また内側部分１３２と同様に、外側部分１３４は、本体１１０の第１の側面１２４および第２の側面１２６に形成された中実側壁と一体に形成されてもよい。図３および図５に示されるように、外側部分１３４は、支持体１０２の高圧流体チャンバ１０４に（半径方向に）隣接して形成されてもよい。ＨＧＰ構成要素１００の外側部分１３４は、本明細書において論じられているように、ＨＧＰ構成要素１００内に低圧流体チャネルを少なくとも部分的に形成および／または画定することができる。
【００４１】
図５の非限定的な例に示されるように、ＨＧＰ構成要素１００は、中間部分１３６も含み得る。中間部分１３６は、（半径方向において）ＨＧＰ構成要素１００の単一本体１１０の内側部分１３２と外側部分１３４との間に形成され得る。内側部分１３２および外側部分１３４と同様に、また図５に示されるように、ＨＧＰ構成要素１００の中間部分１３６は、ＨＧＰ構成要素１００の本体１１０の一体部分として形成されてもよい。ＨＧＰ構成要素１００の本体１１０の中間部分１３６は、それぞれ前端１２０と後端１２２との間、ならびに第１の側面１２４と第２の側面１２６との間に形成、位置決め、および／または延伸することができ、本体１１０の第１の側面１２４および第２の側面１２６上に形成される中実側壁と一体に形成することができる（図４を参照）。
【００４２】
内側部分１３２、外側部分１３４、および／または中間部分１３６は、ＨＧＰ構成要素１００内のチャネルを少なくとも部分的に形成および／または画定することができる。例えば、中間部分１３６および外側部分１３４は、ＨＧＰ構成要素１００内に低圧流体チャネル１３８を画定および／または形成することができる。より具体的には、低圧流体チャネル１３８は、ＨＧＰ構成要素１００の単一本体１１０の中間部分１３６と外側部分１３４との間に形成することができる。低圧流体チャネル１３８は、単一本体１１０のそれぞれ前端１２０と後端１２２との間、ならびに第１の側面１２４と第２の側面１２６との間に実質的に延伸することができる。本明細書において論じられているように、低圧流体チャネル１３８は、ＨＧＰ構成要素１００を通して形成され、支持体１０２の低圧供給導管（複数可）１０８（仮想線で示される部分）と流体連通する開口（複数可）１４０を介してＬＰＦを受け入れることができる。
【００４３】
図５に示される非限定的な例では、中間部分１３６および内側部分１３２はまた、ＨＧＰ構成要素１００内に冷却チャネル１４２を画定および／または形成することもできる。すなわち、冷却チャネル１４２は、ＨＧＰ構成要素１００の単一本体１１０の中間部分１３６と内側部分１３２との間に形成することができる。冷却チャネル１４２は、本体１１０のそれぞれ前端１２０と後端１２２との間、ならびに第１の側面１２４と第２の側面１２６との間に実質的に延伸することができる。本明細書において論じられているように、冷却チャネル１４２は、ガスタービンシステム１０（図１参照）の動作中にＨＰＦおよび低圧流体（ＬＰＦ）を受け入れてＨＧＰ構成要素１００を冷却することができ、その後、排出孔１４４を介してＨＧＰ構成要素１００からＨＰＦおよびＬＰＦを吐出または排出することができる。
【００４４】
ＨＧＰ構成要素１００の様々な部分（例えば、チャネル１３８、１４２）内にＨＰＦおよびＬＰＦを提供して構成要素を冷却するために、ＨＧＰ構成要素１００および／または本体１１０は、その中に形成された複数のおよび／または配列を成す開口を含むことができる。例えば、ＨＧＰ構成要素１００の外側部分１３４および中間部分１３６は各々、その中に形成され、かつ／またはそこを通じて延伸する複数のおよび／または配列を成す開口、ノズル、および／またはベンチュリを含むことができる。図４〜図６に示される非限定的な例では、外側部分１３４は、その中に形成されるか、またはそれを通じて延伸する複数の高圧開口またはノズル１４６（以下、「ノズル１４６」）を含むことができる。複数のノズル１４６の各々は、ＨＧＰ構成要素１００の単一本体１１０の外面１２８および外側部分１３４を通して形成されてもよい。外側部分１３４を貫通して形成された複数のノズル１４６は、支持体１０２の高圧流体チャンバ１０４と流体連通し、かつ／または流体的に結合することができる。高圧流体チャンバ１０４に流体的に結合された結果として、複数のノズル１４６の各々はまた、タービン２８および／または支持体１０２の高圧供給導管（複数可）１０６を通じて流れるＨＰＦとも流体連通することができる（図３参照）。さらに、図５に示すように、外側部分１３４を通じて形成された複数のノズル１４６は、支持体１０２の高圧流体チャンバ１０４とＨＧＰ構成要素１００の低圧流体チャネル１３８とを流体的に結合することができる。本明細書において論じられているように、外側部分１３４を通じて形成された複数のノズル１４６の各々は、支持体１０２の高圧供給導管１０６および／または高圧流体チャンバ１０４からＨＰＦを受け入れ、その後、ＨＧＰ構成要素１００の低圧流体チャネル１３８にＨＰＦを提供しまたは流すことができる。
【００４５】
また、図４〜図６に示される非限定的な例に示すように、中間部分１３６は、その中に形成されるか、またはそれを通じて延伸する複数の低圧開口またはベンチュリ１４８（以下、「ベンチュリ１４８」）を含むことができる。複数のベンチュリ１４８の各々は、ＨＧＰ構成要素１００の単一本体１１０の中間部分１３６を通して形成されまたは延伸してもよい。中間部分１３６を通じて形成された複数のベンチュリ１４８は、ＨＧＰ構成要素１００の単一本体１１０内に形成された低圧流体チャネル１３８および冷却チャネル１４２と流体連通し、かつ／または流体的に結合することができる。さらに、かつベンチュリ１４８は低圧流体チャネル１３８と流体連通しているため、ＨＧＰ構成要素１００のベンチュリ１４８はまた、低圧流体チャネル１３８を通じて流れるＬＰＦとも流体連通することができ、および／または、低圧流体チャネル１３８にＬＰＦを提供する支持体１０２の低圧供給導管（複数可）１０８と流体連通することができる。本明細書において論じられているように、中間部分１３６を通じて形成された複数のベンチュリ１４８の各々は、低圧流体チャネル１３８からＬＰＦを受け入れ、続いてＬＰＦを冷却チャネル１４２に提供しまたは流すことができる。さらに、本明細書において論じられているように、複数のベンチュリ１４８の各々は、複数のノズル１４６を介して低圧流体チャネル１３８を通じて流れる高圧流体（ＨＰＦ）を受け入れ、続いてＨＰＦを冷却チャネル１４２に提供しまたは流すことができる。本明細書において論じられているように、ＨＧＰ構成要素１００のノズル１４６は、サイズ、形状、および／または構成（例えば、ディフューザを含むこと）に基づいて、ＨＧＰ構成要素１００のベンチュリ１４８とは異なり得る。
【００４６】
図６を参照し、引き続き図５を参照すると、単一のノズル１４６および単一のベンチュリ１４８を含むＨＧＰ構成要素１００の拡大断面図が示されている。図５および図６に示す非限定的な例では、ＨＧＰ構成要素１００の外側部分１３４内に形成された複数のノズル１４６および中間部分１３６内に形成された複数のベンチュリ１４８は、半径方向にかつ／または同心に位置整合され得る。すなわち、複数のノズル１４６の各々は、対応するベンチュリ１４８と位置整合し得、かつ／または実質的に同心であり得る。加えて、かつ図６の非限定的な例に示されるように、外側部分１３４内に形成された複数のノズル１４６の各々は、中間部分１３６内に形成された対応するベンチュリ１４８に延伸する区画１５０を含むことができる。具体的には、区画１５０は、ＨＧＰ構成要素１００の半径方向にかつ／または同心に位置整合された対応するベンチュリ１４８内に延伸することができ、ならびに／または部分的にその中に位置決めすることができ、および／もしくはそれに包囲され得る。本明細書において論じられているように、各ノズル１４６の区画１５０は、対応するベンチュリ１４８内に延伸して、ベンチュリ１４８を通してＨＰＦを導くことができる。付加的にまたは代替的に、各ノズル１４６の区画１５０は、低圧流体チャネル１３８を通じて流れる低圧流体（ＬＰＦ）をベンチュリ１４８へと誘導し、および／またはＬＰＦがノズル１４６を通じて半径方向外向きに流れるのを防ぐために、対応するベンチュリ１４８内に延伸することができる。
【００４７】
図６に示すように、複数のノズル１４６の各々は、異なるサイズにすることができ、および／または複数のベンチュリ１４８とは異なる寸法を含むことができる。すなわち、複数のノズル１４６の寸法（例えば、直径）は、複数のベンチュリ１４８の寸法とは異なっていてもよい。非限定的な例では、外側部分１３４に形成された複数のノズル１４６の各々は、ノズル開口または構成のスロートまたはネック（例えば、最も狭い部分）において第１の直径（Ｄ１）を含むことができる。加えて、中間部分１３６内に形成された複数のベンチュリ１４８の各々は、ベンチュリ開口または構成のスロート（例えば、最も狭い部分）において第２の直径（Ｄ２）を含むことができる。図６の非限定的な例に示されるように、各ベンチュリ１４８の第２の直径（Ｄ２）は、ノズル１４６の第１の直径（Ｄ１）より大きくてもよい。非限定的な例では、ベンチュリ１４８の第２の直径は、ノズル１４６の第１の直径（Ｄ１）の少なくとも２倍の大きさ（例えば、２：１以上の比率）であり得る。他の非限定的な例では、ベンチュリ１４８の第２の直径は、ノズル１４６の第１の直径（Ｄ１）よりもわずかに大きい（例えば、１０％大きい）ものであり得る。第１の直径（Ｄ１）および第２の直径（Ｄ２）の各々のサイズまたは寸法、ならびに第１の直径（Ｄ１）と第２の直径（Ｄ２）との差は、本明細書において論じられているように、ＨＧＰ構成要素１００を流れるＨＰＦおよびＬＰＦの速度および／または圧力を改善することができる。
【００４８】
図５および図６に示すような、ＨＧＰ構成要素１００内に形成されたノズル１４６およびベンチュリ１４８のサイズおよび／または数は単なる例示であることが理解される。そのため、ＨＧＰ構成要素１００は、より大きいもしくはより小さいノズル１４６およびベンチュリ１４８を含んでもよく、かつ／またはその中に形成されるより多くのもしくはより少ないノズル１４６およびベンチュリ１４８を含んでもよい。加えて、ノズル１４６およびベンチュリ１４８は両方ともサイズおよび／または形状が実質的に均一であるように示されているが、ＨＧＰ構成要素１００内に形成された複数のノズル１４６およびベンチュリ１４８の各々は、別個のサイズおよび／または形状を含み得ることが理解される。ＨＧＰ構成要素１００内に形成されるノズル１４６およびベンチュリ１４８のサイズ、形状、および／または数は、動作中のガスタービンシステム１０の様々なパラメータ（例えば、露出温度、露出圧力、タービンケーシング３６内の位置、ＨＰＦ動作圧力／温度、ＬＰＦ運転圧力／温度など）に、少なくとも部分的に依存し得る。付加的に、または代替的に、ＨＧＰ構成要素１００内に形成されるノズル１４６およびベンチュリ１４８のサイズ、形状、および／または数は、ＨＧＰ構成要素１００の特性（例えば、内側部分１３２の厚さ、外側部分１３４の厚さ、冷却チャネル１４２の容積など）に少なくとも部分的に依存し得る。
【００４９】
加えて、図６に示されるように、ＨＧＰ構成要素１００の単一本体１１０の中間部分１３６はまた、複数のディフューザ１５２を含むことができる。複数のディフューザ１５２の各々は、中間部分１３６を通して形成された対応するベンチュリ１４８と一体に形成されてもよい。すなわち、かつ図６に示すように、ディフューザ１５２は、各ベンチュリ１４８と一体に形成されてもよく、半径方向においてベンチュリ１４８に、より具体的には各ベンチュリ１４８のスロート（例えば、最も狭い部分）に隣接して位置決めされてもよい。ディフューザ１５２はまた、ＨＧＰ構成要素１００の本体１１０の内側部分１３２に隣接して形成されてもよく、かつ／またはそれに向かって半径方向に延伸してもよい。非限定的な例では、ディフューザ１５２は、ディフューザ１５２がＨＧＰ構成要素１００の内側部分１３２に向かって（半径方向に）より近く延伸するにつれて大きくまたは広くなる、発散する形状、幾何学的形状、および／または構成を含むことができる。非限定的な例では、ディフューザ１５２の最大寸法（例えば、直径）は、内側部分１３２に半径方向に隣接する端部１５４に形成されてもよい。ディフューザ１５２の端部１５４は、ノズル１４６の第１の直径（Ｄ１）およびベンチュリ１４８の第２の直径（Ｄ２）よりも大きくてもよい第３の直径（Ｄ３）を含んでもよい。第１の直径（Ｄ１）および第２の直径（Ｄ２）の各々のサイズまたは寸法に加えて、ＨＧＰ構成要素１００の各ディフューザ１５２の第３の直径（Ｄ３）のサイズは、本明細書において論じられているように、ＨＧＰ構成要素１００を流れるＨＰＦおよびＬＰＦの静圧を増大させ得る。
【００５０】
さらに、本明細書においては実質的に円形であり、かつ／または異なる直径（例えば、第１の直径（Ｄ１）、第２の直径（Ｄ２）など）を含むものとして論じられているが、ノズル１４６、ベンチュリ１４８、および／またはディフューザ１５２は、別個の形状または構成から形成されてもよいことが理解される。したがって、ノズル１４６、ベンチュリ１４８、およびディフューザ１５２の各々の寸法は、直径を含まなくてもよい。すなわち、例えば、ノズル１４６、ベンチュリ１４８、および／またはディフューザ１５２は、実質的に正方形または多角形であってもよい。これらの非限定的な例では、ノズル１４６、ベンチュリ１４８、およびディフューザ１５２の各々は、一意のおよび／または別個の領域（例えば、寸法）を含むことができる。より具体的には、ノズル１４６のスロートは第１の領域（Ａ１）を含むことができ、ベンチュリ１４８のスロートはノズル１４６の第１の領域（Ａ１）よりも大きい第２の領域（Ａ２）を含むことができ、ディフューザ１５２は、それぞれ第１の領域（Ａ１）と第２の領域（Ａ２）の両方よりも大きい第３の領域（Ａ３）を含むことができる。
【００５１】
加えて、図４〜図６に示されるように、ＨＧＰ構成要素１００は、複数の支持ピン１５６も含むことができる。具体的には、ＨＧＰ構成要素１００の本体１１０は、内側部分１３２と中間部分１３６との間、ならびに中間部分１３６と外側部分１３４との間に位置決めされ／延伸し、それらと一体に形成された複数の支持ピン１５６を含むことができる。図５および図６に示すように、内側部分１３２と中間部分１３６との間に延伸する複数の支持ピン１５６はまた冷却チャネル１４２内に位置決めされてもよく、中間部分１３６と外側部分１３４との間に延伸する複数の支持ピン１５６は低圧流体チャネル１３８内に位置決めされてもよい。複数の支持ピン１５６は、内側部分１３２、外側部分１３４、および／または中間部分１３６に支持、構造、および／または剛性を提供するために、ＨＧＰ構成要素１００の本体１１０全体を通じて位置決めすることができる。内側部分１３２、外側部分１３４、および／または中間部分１３６の間に延伸し、かつ／またはそれらと一体に形成される複数の支持ピン１５６を含むことにより、追加の支持、構造、および／または剛性がＨＧＰ構成要素１００の様々な部分に提供され、ガスタービンシステム１０の動作中にそれらの振動を実質的に防止することができる。内側部分１３２、外側部分１３４、および／または中間部分１３６に支持、構造、および／または剛性を提供することに加えて、低圧流体チャネル１３８および／または冷却チャネル１４２内に位置決めされた複数の支持ピン１５６はまた、本明細書において論じられているように、ガスタービンシステム１０（図１参照）の動作中にＨＧＰ構成要素１００の熱伝達および／または冷却を支援することができる。複数の支持ピン１５６は、任意の適切な積層造形プロセス（複数可）および／または方法を使用してＨＧＰ構成要素１００の単一本体１１０を形成するとき、内側部分１３２、外側部分１３４、および／または中間部分１３６と一体に形成することができる。
【００５２】
図４〜図６に示すような、ＨＧＰ構成要素１００内に位置決めされた支持ピン１５６のサイズ、形状、および／または数は、単なる例示である。したがって、ＨＧＰ構成要素１００は、より大きいまたはより小さい支持ピン１５６、様々なサイズの支持ピン１５６を含むことができ、および／または内部に形成されたより多くのまたはより少ない支持ピン１５６を含むことができる。ＨＧＰ構成要素１００内に形成された支持ピン１５６のサイズ、形状、および／または数は、動作中のガスタービンシステム１０の動作特性（例えば、曝露温度、曝露圧力、タービンケーシング３６内の位置など）に少なくとも部分的に依存し得る。付加的に、または代替的に、ＨＧＰ構成要素１００内に形成される支持ピン１５６のサイズ、形状、および／または数は、ＨＧＰ構成要素１００の特性（例えば、内側部分１３２の厚さ、外側部分１３４の厚さ、チャネル１３８、１４２の高さなど）に少なくとも部分的に依存し得る。
【００５３】
図３〜図６を参照して、ＨＧＰ構成要素１００を通るＨＰＦおよびＬＰＦの例示的な流路が説明される。具体的には、図３、図５、および図６では、流体の流れ方向を矢印で表すことができ、「ＨＰＦ」および「ＬＰＦ」とラベル付けすることができる。
【００５４】
非限定的な例では、ＨＰＦは、領域５０から高圧供給導管１０６（図３参照）を通じて、支持体１０２の高圧流体チャンバ１０４へと流れることができる。高圧流体チャンバ１０４から、ＨＰＦは、外側部分１３４を通じて形成された複数のノズル１４６を通じて流れることができる。ノズル１４６がベンチュリ１４８と半径方向に位置整合されかつ／または同心である非限定的な例では、ＨＰＦは、中間部分１３６を通じて形成されたベンチュリ１４８へと直接的におよび／またはそれを通じて流れ得る。ＨＰＦは、同じくベンチュリ１４８を流れるＬＰＦと混合し、ＬＰＦに実質的にエネルギーを与え、またはＬＰＦの速度を増加させることができる。ＨＰＦは、ベンチュリ１４８を通じて流れ得、中間部分１３６のディフューザ１５２によって拡散され得、ＨＧＰ構成要素１００の冷却チャネル１４２へ流れ得る。冷却チャネル１４２内に入ると、ＨＰＦとＬＰＦとの混合物は、ＨＧＰ構成要素１００の内側部分１３２を実質的に冷却し、冷却チャネル１４２を通じて前端１２０または後端１２２に向かって流れた後、冷却チャネル１４２の排出孔１４４を介してＨＧＰ構成要素から排出され得る。
【００５５】
ＨＧＰ構成要素１００を流れるＨＰＦと同時におよび／または独立して、ＬＰＦもＨＧＰ構成要素１００に提供され、ＨＧＰ構成要素１００を流れることができる。ＬＰＦは、領域５２から、支持体１０２の低圧供給導管（複数可）１０８を通じて流れ得る（図３を参照）。非限定的な例では、低圧供給導管１０８は、ＨＧＰ構成要素１００の後端１２２を通して形成された低圧流体チャネル１３８の開口１４０と直接的に流体連通することができる。加えて、かつ仮想線に示すように、別個の低圧供給導管１０８が、ＨＧＰ構成要素１００の前端１２０を通して形成された低圧流体チャネル１３８の別個の開口１４０と直接的に流体連通することができる。したがって、低圧流体チャネル１３８の両側または両端にＬＰＦを提供することができる。低圧流体チャネル１３８に提供されると、ＬＰＦは、中間部分１３６を通じて形成された複数のベンチュリ１４８を通じて流れることができる。ノズル１４６の区画１５０（図６を参照）がベンチュリ１４８内に延伸する非限定的な例では、ノズル１４６はベンチュリ１４８を通してＬＰＦを誘導することができる。加えて、ノズル１４６がベンチュリ１４８と半径方向に位置整合しおよび／または同心である場合、ＬＰＦはベンチュリ１４８へと直接的に流れ、ＨＰＦと混合し、ベンチュリ１４８を流れるときに実質的に活性化されるか、または速度の増加を経験し得る。ＨＰＦと同様に、ＬＰＦは、ベンチュリ１４８を通じて流れ得、中間部分１３６のディフューザ１５２によって拡散され得、ＨＧＰ構成要素１００の冷却チャネル１４２へ流れ得る。冷却チャネル１４２内に入ると、ＬＰＦは、ＨＰＦと共に、ＨＧＰ構成要素１００の内側部分１３２を実質的に冷却し、冷却チャネル１４２を通じて前端１２０または後端１２２に向かって流れた後、冷却チャネル１４２の排出孔１４４および１４５を介してＨＧＰ構成要素から排出され得る（図５参照）。
【００５６】
図７および図８は、ＨＧＰ構成要素１００および支持体１０２を含むタービン２８の別の非限定的な例の様々な図を示している。具体的には、図７は、支持体１０２に結合されたＨＧＰ構成要素１００を含むガスタービンシステム１０（図１を参照）のタービン２８の一部の非限定的な例の拡大側面図を示し、図８は、図７に示されるＨＧＰ構成要素１００の別の非限定的な例の側面断面図を示す。同様の符号を付したおよび／または名前をつけた構成要素は、実質的に同様の様式で機能し得ることが理解される。これらの構成要素の冗長な説明は、明確化のために省略されている。
【００５７】
図７に示すように、また図３に関して本明細書において論じられている非限定的な例と比較すると、支持体１０２は高圧流体チャンバ１０４（図３を参照）を含まなくてもよい。むしろ、支持体１０２は、ＨＧＰ構成要素１００の外面１２８に当接または接触し得る実質的に中実かつ／または連続的な構成要素または部品として形成され得、その中に形成された複数の供給導管を含み得る。図７に示す非限定的な例では、支持体１０２は、その中に形成された複数の高圧供給導管１０６と、単一の低圧供給導管１０８とを含むことができる。複数の高圧供給導管１０６は、支持体１０２を通じて、例えば、ＨＧＰ構成要素１００の前端１２０または後端１２２まで延伸することができる。加えて、複数の高圧供給導管１０６の各々は、ＨＧＰ構成要素１００に直接的に流体連通し、かつ／または直接流体的に結合することができる。すなわち、支持体１０２の複数の高圧供給導管１０６の各々は、領域５０およびＨＧＰ構成要素１００のチャネル（例えば、高圧流体チャネル）（図８を参照）に流体連通し、かつ／または流体的に結合され得る。本明細書において論じられているように、高圧供給導管１０６は、ガスタービンシステム１０（図１を参照）の動作中に領域５０からＨＧＰ構成要素１００に高圧流体（ＨＰＦ）を提供することができる。
【００５８】
図８を参照し、また引き続き図７を参照すると、ＨＧＰ構成要素１００は、タービン２８内で利用されるときに追加の特徴および／または構成要素を含むことができる。例えば、本明細書において論じられているように、ＨＧＰ構成要素１００は、単一本体１１０から形成されなくてもよい。むしろ、ＨＧＰ構成要素１００は、第１の部分１５７、および別個の第２の部分１５８から形成され得る。より具体的には、ＨＧＰ構成要素１００は、第１の部分１５７、ならびに、第１の部分１５７に接合、結合、および／または固定することができる第２の部分１５８から形成され、および／または、これらを含んでもよい。図８に示すように、ＨＧＰ構成要素１００の第１の部分１５７は、ＨＧＰ構成要素１００のフック１１２、１１８、内面１３０、および内側部分１３２を含むことができる。加えて、非限定的な例では、ＨＧＰ構成要素１００の第１の部分１５７は、本明細書において論じられているように、低圧流体チャネル（複数可）１３８の開口（複数可）１４０を含む一部分と、高圧流体チャネル（複数可）１６０の開口（複数可）１６２を含む一部分とを含むことができる。
【００５９】
第２の部分１５８は、ＨＧＰ構成要素１００の、第１の部分１５７とは異なる特徴および／または部分を含むことができる。例えば、本明細書において論じられているように、第２の部分１５８は、外側部分１３４、中間部分１３６、およびＨＧＰ構成要素１００の外面１２８を含む上部プレート１５９を含むことができる。加えて、非限定的な例では、第２の部分１５８は、外側部分１３４を通じて形成されたノズル１４６、中間部分１３６を通じて形成されたベンチュリ１４８、ならびに、外側部分１３４、中間部分１３６、および上部プレート１５９の間でおよび／またはそれらから延伸する複数の支持ピン１５６も含むことができる。図８に示すように、第２の部分１５８はまた、低圧流体チャネル１３８の、外側部分１３４と中間部分１３６との間に形成された一部分、ならびに、高圧流体チャネル１６０の、外側部分１３４と上部プレート１５９と外側との間に形成された一部分も含み得る。冷却チャネル１４２は、第１の部分１５７と第２の部分１５８との間、より具体的には、第２の部分１５８の中間部分１３６と第１の部分１５７の内側部分１３２との間に形成され得る。
【００６０】
図８に示される非限定的な例では、第１の部分１５７および第２の部分１５８は、別個の材料から形成され得る。例えば、フック１１２、１１８および内側部分１３２を含む第１の部分１５７は、材料特性および／または特徴性（例えば、融点、熱伝達特性、硬度、延性など）の第１のセットを有する第１の金属または合金から形成され得、一方、第２の部分１５８は、材料特性および／または特徴性の第２のセットを有する第２の金属または合金から形成され得る。代替的に、第１の部分１５７および第２の部分１５８は、同一の材料から形成されてもよい。第１の部分１５７および第２の部分１５８の各々は、フライス加工、旋削、切削、鋳造、成形、穿孔などを含むがこれらに限定されない任意の適切な製造プロセスを使用して個々におよび／または別個に形成されてもよい。さらに、第１の部分１５７および第２の部分１５８は、溶接、締結、溶融、焼結、ろう付けなどを含むがこれらに限定されない任意の適切な接合プロセスまたは技術を使用して、ＨＧＰ構成要素１００を形成するために互いに接合、結合、および／または固定されてもよい。
【００６１】
図８に示される非限定的な例では、ＨＧＰ構成要素１００は、第２の部分１５８の外側部分１３４の半径方向外側に、半径方向に隣接して、かつ／または半径方向上方に形成される上部プレート１５９も含み得る。さらに、図７および図８に示されるように、上部プレート１５９は、支持体１０２の一部分から半径方向内側に位置決めすることができ、かつ／または支持体１０２の一部に実質的に接触もしくは当接することができる。上部プレート１５９は、実質的にそれぞれ前端１２０と後端１２２との間、ならびに第１の側面１２４と第２の側面１２６との間に形成、延伸、および／または位置決めされ得る実質的に中実のまたは連続的な（例えば、開口またはベンチュリのない）構成要素から形成され得る。本明細書において論じられている非限定的な例では、上部プレート１５９は、ＨＧＰ構成要素１００を形成する第２の部分１５８の一部であるか、またはその中に形成され得る。他の非限定的な例（図示せず）では、上部プレート１５９は、ＨＧＰ構成要素１００を形成するために第１の部分１５７および／または第２の部分１５８に接合、結合、および／または固定され得るＨＧＰ構成要素１００の別個の構成要素または部分であり得る。
【００６２】
加えて、図８に示されるように、ＨＧＰ構成要素１００は、高圧流体チャネル１６０も含み得る。高圧流体チャネル１６０は、外側部分１３４と上部プレート１５９との間に形成することができる。すなわち、ＨＧＰ構成要素１００の上部プレート１５９および外側部分１３４は、ＨＧＰ構成要素１００内に高圧流体チャネル１６０を画定および／または形成することができる。高圧流体チャネル１６０は、ＨＧＰ構成要素１００のそれぞれ前端１２０と後端１２２との間、ならびに第１の側面１２４と第２の側面１２６との間に実質的に延伸することができる。高圧流体チャネル１６０は、ＨＧＰ構成要素１００の第１の部分１５７を通じて延伸し、かつ／またはＨＧＰ構成要素１００の前端１２０または後端１２２に隣接して形成される開口１６２を含むことができる。開口１６２は、支持体１０２の高圧供給導管１０６からＨＰＦを受け入れ、続いて高圧流体チャネル１６０にＨＰＦを供給するために、それぞれの高圧供給導管１０６（仮想線で示される部分）に流体的に結合され得る。高圧流体チャネル１６０は、外側部分１３４を通じて形成された複数のノズル１４６にＨＰＦを供給または提供することができる。本明細書において同様に論じられているように、ＨＰＦは、ノズル１４６を通じて流れ、ベンチュリ１４８を通じて流れるときにＬＰＦと混合し、ＬＰＦに実質的にエネルギーを与え、またはその速度を増加させることができる。ＨＰＦは、ＨＧＰ構成要素１００の冷却チャネル１４２に提供され、その後、開口１４５のアレイを介してＨＧＰ構成要素１００から排出され得る。
【００６３】
図９は、支持体１０２に結合されたＨＧＰ構成要素１００を含むガスタービンシステム１０（図１参照）のタービン２８の一部の拡大側面図の別の非限定的な例を示す。非限定的な例では、ＨＧＰ構成要素１００は、図３〜図５に関して本明細書において同様に論じられているように、単一本体１１０として形成されてもよい。さらに、非限定的な例では、支持体１０２は、単一の高圧供給導管１０６のみを含んでもよい。高圧供給導管１０６は、支持体１０２を通じて領域５０からＨＧＰ構成要素１００の単一本体１１０の隣接する前端１２０まで形成および／または延伸することができる。本明細書において同様に論じられているように、ガスタービンシステム１０（図１を参照）の動作中に、領域５０からＨＧＰ構成要素１００に高圧流体（ＨＰＦ）を提供するために、支持体１０２の高圧供給導管１０６は、領域５０およびＨＧＰ構成要素１００（例えば、高圧流体チャネル１６０）（図８を参照）に流体連通し、かつ／または流体的に結合することができる。
【００６４】
さらに、図９に示される非限定的な例では、支持体１０２は低圧流体チャンバ１６４を含むことができる。低圧流体チャンバ１６４は、ＨＧＰ構成要素１００に半径方向に隣接して、および／または半径方向外側に、支持体１０２内に形成されてもよい。低圧流体チャンバ１６４は、ガスタービンシステム１０（図１参照）の作動中にＨＧＰ構成要素１００に後に提供され得るタービン２８の領域５２を通じておよび／またはタービン２８の領域５２の中を流れる低圧流体（ＬＰＦ）を受け入れるために支持体１０２内に形成され得る。例えば、低圧流体チャンバ１６４は、支持体１０２内に形成された少なくとも１つの低圧入口１６６および少なくとも１つの低圧供給導管１０８に流体的に結合し、かつ／または流体連通してもよい。非限定的な例では、低圧入口１６６は、ＬＰＦを含み得るタービンケーシング３６内の領域５２と流体連通し、かつ／または流体的に結合してもよく、低圧流体チャンバ１６４と流体連通し、かつ／または流体的に結合してもよい。低圧入口１６６は、領域５２からＬＰＦを受け入れ、低圧流体チャンバ１６４にＬＰＦを提供することができる。低圧流体チャンバ１６４に受け入れられると、本明細書において同様に論じられているように、ＬＰＦは少なくとも１つの低圧供給導管１０８に提供され、続いて低圧供給導管１０８を介してＨＧＰ構成要素１００の低圧流体チャネル１３８（図５を参照）に提供され得る。
【００６５】
図１０および図１１は、ＨＧＰ構成要素１００および支持体１０２を含むタービン２８の別の非限定的な例の様々な図を示している。具体的には、図１０は、支持体１０２に結合されたＨＧＰ構成要素１００を含むガスタービンシステム１０（図１を参照）のタービン２８の一部の非限定的な例の拡大側面図を示し、図１１は、図１０に示されるＨＧＰ構成要素１００の別の非限定的な例の側面断面図を示す。同様の符号を付したおよび／または名前をつけた構成要素は、実質的に同様の様式で機能し得ることが理解される。これらの構成要素の冗長な説明は、明確化のために省略されている。
【００６６】
図９に示される非限定的な例と同様に、支持体１０２は低圧流体チャンバ１６４を含むことができる。低圧流体チャンバ１６４は、ＨＧＰ構成要素１００に半径方向に隣接して、および／または半径方向外側に、支持体１０２内に形成されてもよい。本明細書において論じられているように、低圧流体チャンバ１６４は、タービン２８の領域５２を通じておよび／または領域５２内を流れる低圧流体（ＬＰＦ）を受け入れることができる。非限定的な例において、低圧流体チャンバ１６４は、支持体１０２内に形成された少なくとも１つの低圧供給導管１０８に流体的に結合し、かつ／または直接的に流体連通することができる。低圧供給導管１０８は、ＬＰＦを含み得るタービンケーシング３６内の領域５２と流体連通し、かつ／または流体的に結合することができ、ＬＰＦを低圧流体チャンバ１６４に提供することができる。
【００６７】
しかし、図１０および図１１に示される非限定的な例は、本明細書において論じられるＨＧＰ構成要素１００および／または支持体１０２の他の非限定的な例とは異なる構成を有するＨＧＰ構成要素１００および／または支持体１０２を含む。例えば、図９に示される非限定的な例とは異なり、低圧流体チャンバ１６４は、ＨＧＰ構成要素１００の特徴と流体的に結合し、かつ／または直接的に流体連通することができる。より具体的には、図１０および図１１に示すように、低圧流体チャンバ１６４は、（半径方向において）ＨＧＰ構成要素１００の外側部分１３４に隣接して形成され得、結果、ＨＧＰ構成要素１００の外側部分１３４は、ＨＧＰ構成要素１００内の低圧流体チャンバ１６４を少なくとも部分的に形成および／または画定することができる。加えて、低圧流体チャンバ１６４は、ＨＧＰ構成要素１００の外側部分１３４を通じて形成されまたは延伸する複数のノズル１４６と流体的に結合し、かつ／または直接的に流体連通することができる。外側部分１３４を通じて延伸する複数のノズル１４６に半径方向に隣接して形成され、直接的に流体連通する結果として、低圧流体チャンバ１６４は、本明細書において論じられているように、ＨＧＰ構成要素１００を冷却するときに複数のノズル１４６の各々にＬＰＦを提供することができる。
【００６８】
支持体１０２は、その中に形成された少なくとも１つの高圧供給導管１０６を含むこともできる。高圧供給導管１０６は、ＨＰＦを含む領域５０およびＨＧＰ構成要素１００と直接的に流体連通し、かつ／または流体的に結合することができる。より具体的には、図１０および図１１に示すように、高圧供給導管１０６は、領域５０からＨＧＰ構成要素１００の高圧流体チャネル１６０にＨＰＦを提供するために、タービン２８の領域５０（図１０を参照）およびＨＧＰ構成要素１００の高圧流体チャネル１６０（図１１を参照）と流体連通することができ、かつ／または流体的に結合することができる。図１１に示す非限定的な例では、高圧供給導管１０６は、ＨＧＰ構成要素１００の前端１２０を通して形成された開口１６２を介して高圧流体チャネル１６０と流体連通することができる。低圧流体チャンバ１６４がノズル１４６と直接的に流体連通し、本明細書において論じる非限定的な例（例えば、図９）とは異なる結果として、高圧流体チャネル１６０は、ＨＧＰ構成要素１００の本体１１０の外側部分１３４と中間部分１３６との間に形成され、かつ／またはそれらによって画定され得る。中間部分１３６を通して形成されまたは延伸する複数のベンチュリ１４８の各々は、高圧流体チャネル１６０と流体的に結合し、かつ／または直接的に流体連通することができ、本明細書において論じられているように、ＨＧＰ構成要素１００を冷却するときにＨＰＦを受け入れることができる。
【００６９】
図１０および図１１を参照して、ＨＧＰ構成要素１００を通るＬＰＦおよびＨＰＦの例示的な流路が説明される。非限定的な例では、ＬＰＦは、領域５２から、支持体１０２の低圧供給導管（複数可）１０８（図１０を参照）を通じて低圧流体チャンバ１６４に流れることができる。低圧流体チャンバ１６４から、ＬＰＦは、外側部分１３４を通じて形成された複数のノズル１４６を通じて流れることができる。ノズル１４６がベンチュリ１４８と半径方向に位置整合されかつ／または同心である非限定的な例では、ＬＰＦは、中間部分１３６を通じて形成されたベンチュリ１４８へと直接的におよび／またはそれを通じて流れ得る。付加的にまたは代替的に、ＬＰＦは、複数のノズル１４６の各々から、図１１に示すＨＧＰ構成要素１００の外側部分１３４と中間部分１３６との間に形成された高圧流体チャネル１６０へと流れることができる。本明細書において論じられているように、ＬＰＦは、同じくベンチュリ１４８を通じて流れるＨＰＦと混合し、ＨＰＦによって実質的にエネルギーを与えられまたはその速度を増加され得る。ＬＰＦは、ベンチュリ１４８を通じて流れ得、中間部分１３６のディフューザ１５２によって拡散され得、ＨＧＰ構成要素１００の冷却チャネル１４２へ流れ得る。冷却チャネル１４２内に入ると、ＬＰＦとＨＰＦとの混合物は、ＨＧＰ構成要素１００の内側部分１３２を実質的に冷却し、冷却チャネル１４２を通じて前端１２０または後端１２２に向かって流れた後、冷却チャネル１４２の排出孔１４４を介してＨＧＰ構成要素から排出され得る。
【００７０】
ＨＧＰ構成要素１００を流れるＬＰＦと同時におよび／または独立して、ＨＰＦは、領域５０から、支持体１０２内に形成された高圧供給導管１０６を通じて流れることができる（図１０を参照）。高圧供給導管１０６は、ＨＧＰ構成要素１００の前端１２０を通して形成された高圧流体チャネル１６０の開口１６２と直接的に流体連通することができる。高圧流体チャネル１６０に提供されると、ＨＰＦは、中間部分１３６を通じて形成された複数のベンチュリ１４８を通じて流れることができる。ノズル１４６の区画（例えば、区画１５０、図６を参照）がベンチュリ１４８内に延伸する非限定的な例では、ノズル１４６はベンチュリ１４８を通してＨＰＦを誘導することができる。加えて、ノズル１４６がベンチュリ１４８と半径方向に位置整合しおよび／または同心である場合、ＨＰＦはベンチュリ１４８へと直接的に流れることができ、ＬＰＦと混合することができる。高圧流体チャネル１６０および／またはベンチュリ１４８を流れるＨＰＦは、ノズル１４６からベンチュリ１４８を通じて流れるＬＰＦを実質的に活性化するか、またはその速度を増加させ得る。ＬＰＦと同様に、ＨＰＦは、ベンチュリ１４８を通じて流れ得、中間部分１３６のディフューザ１５２によって拡散され得、ＨＧＰ構成要素１００の冷却チャネル１４２へ流れ得る。冷却チャネル１４２内に入ると、ＨＰＦは、ＬＰＦと共に、ＨＧＰ構成要素１００の内側部分１３２を実質的に冷却し、冷却チャネル１４２を通じて前端１２０または後端１２２に向かって流れた後、冷却チャネル１４２の排出孔１４４および１４５を介してＨＧＰ構成要素から排出され得る（図１１参照）。
【００７１】
図１２および図１３は、ＨＧＰ構成要素１００および支持体１０２を含むタービン２８の別の非限定的な例の様々な図を示している。具体的には、図１２は、支持体１０２に結合されたＨＧＰ構成要素１００を含むガスタービンシステム１０（図１を参照）のタービン２８の一部の非限定的な例の拡大側面図を示し、図１３は、図１２に示されるＨＧＰ構成要素１００の別の非限定的な例の側面断面図を示す。同様の符号を付したおよび／または名前をつけた構成要素は、実質的に同様の様式で機能し得ることが理解される。これらの構成要素の冗長な説明は、明確化のために省略されている。
【００７２】
図７に示される非限定的な例と同様に、図１２の非限定的な例に示される支持体１０２は、内部圧力チャンバ（例えば、高圧流体チャンバ１０４、低圧流体チャンバ１６４）を含まなくてもよい。そのため、また図７および図８と同様に、ＨＧＰ構成要素１００は、ＨＧＰ構成要素１００の外側部分１３４の半径方向外側に、半径方向に隣接して、かつ／または半径方向上方に形成される上部プレート１５９を含み得る。上部プレート１５９は、図１２に示すように、支持体１０２の一部分から半径方向内側に位置決めすることができ、かつ／または支持体１０２の一部に実質的に接触もしくは当接することができる。
【００７３】
しかし、図１２および図１３に示される非限定的な例は、本明細書において論じられるＨＧＰ構成要素１００および／または支持体１０２の他の非限定的な例（例えば、図７および図８）とは異なる構成を有するＨＧＰ構成要素１００および／または支持体１０２を含む。例えば、支持体１０２は、高圧供給導管１０６および低圧供給導管１０８を含むが、各供給導管１０６、１０８は、図７および図８に関して本明細書において論じられている非限定的な例とは異なる領域内で支持体１０２を通して形成され得、および／または、ＨＧＰ構成要素１００の、上記非限定的な例とは異なる部分に流体的に結合され得る。具体的には、支持体１０２は、その中に形成された単一の高圧供給導管１０６を含むことができる。高圧供給導管１０６は、支持体１０２を通じて、ＨＧＰ構成要素１００の隣接する前端１２０まで延伸することができる。高圧供給導管１０６は、ガスタービンシステム１０（図１を参照）の動作中に領域５０からＨＧＰ構成要素１００にＨＰＦを提供するために、それぞれＨＧＰ構成要素１００および領域５０に直接的に流体連通し、かつ／または直接流体的に結合することができる。非限定的な例では、高圧供給導管１０６は、ＨＧＰ構成要素１００の前端１２０を通して形成された開口１６２（図１３参照）を介して高圧流体チャネル１６０に流体的に結合し、かつ／または直接的に流体連通することができる。図１２および図１３に示されるように、また図１０および図１１に示される非限定的な例と同様に、高圧流体チャネル１６０は、ＨＧＰ構成要素１００の本体１１０の外側部分１３４と中間部分１３６との間に形成することができ、および／またはそれらによって画定することができる。中間部分１３６を通して形成されまたは延伸する複数のベンチュリ１４８の各々は、高圧流体チャネル１６０と流体的に結合し、かつ／または直接的に流体連通することができ、ＨＧＰ構成要素１００を冷却するときにＨＰＦを受け入れることができる。すなわち、ＨＰＦは、高圧供給導管１０６から高圧流体チャネル１６０に直接的に流れ、その後、中間部分１３６を通じて延伸する複数のベンチュリ１４８を通じて流れることができる。図１０および図１１に関して本明細書において同様に論じられているように、複数のベンチュリ１４８を通じて流れるＨＰＦは、複数のノズル１４６によって提供されるＬＰＦと混合して冷却チャネル１４２に入り、その後、ＨＧＰ構成要素１００から放出される。
【００７４】
加えて、図１２の非限定的な例に示されるように、支持体１０２は、複数の低圧供給導管１０８を含むことができる。複数の低圧供給導管１０８は、支持体１０２を通じて、それぞれ、ＨＧＰ構成要素１００の前端１２０および後端１２２に向かって延伸することができる。加えて、複数の低圧供給導管１０８の各々は、ＨＧＰ構成要素１００に直接的に流体連通し、かつ／または直接流体的に結合することができる。すなわち、支持体１０２の複数の低圧供給導管１０８の各々は、領域５０、および、開口１４０（図１３参照）を介してＨＧＰ構成要素１００の低圧流体チャネル１３８に流体連通し、かつ／または流体的に結合することができる。図１２および図１３に示すように、低圧流体チャネル１３８は、ＨＧＰ構成要素１００の本体１１０の外側部分１３４と上部プレート１５９との間に形成し、かつ／またはそれらによって画定することができる。外側部分１３４を通して形成されまたは延伸する複数のノズル１４６の各々は、低圧流体チャネル１３８と流体的に結合し、かつ／または直接的に流体連通することができ、ＨＧＰ構成要素１００を冷却するときにＬＰＦを受け入れることができる。すなわち、ＬＰＦは、複数の低圧供給導管１０８の各々から低圧流体チャネル１３８に直接的に流れ、その後、外側部分１３４を通じて延伸する複数のノズル１４６を通じて流れることができる。複数のノズル１４６から、また図１０および図１１に関して本明細書において同様に論じられているように、複数のノズル１４６を通じて流れるＬＰＦは、複数のベンチュリ１４８へと流れることができ、ＨＰＦと混合し、その後、冷却チャネル１４２へと流れ、ＨＧＰ構成要素１００から放出され得る。
【００７５】
図１４および図１５は、ガスタービンシステム１０のタービン２８に含まれるＨＧＰ構成要素２００の別の非限定的な例の追加の図を示す。具体的には、図１４は、タービン２８のケーシング３６内に位置決めされた２段のタービンブレード３８と、ＨＧＰ構成要素２００Ａ、２００Ｂを含むステータベーン４０の段とを含むタービン２８の一部の側面図を示し、図１５は、ＨＧＰ構成要素２００Ａおよび支持体２０２を含むタービン２８の拡大部分を示す。同様の符号を付したおよび／または名前をつけた構成要素は、実質的に同様の様式で機能し得ることが理解される。これらの構成要素の冗長な説明は、明確化のために省略されている。
【００７６】
図１４および図１５に示される非限定的な例では、図２に関して本明細書において論じられているように、ＨＧＰ構成要素２００Ａ、２００Ｂは、それぞれステータベーン４０の外側プラットフォームおよび内側プラットフォームとして形成することができ、ステータベーン４０の翼形部４２に結合および／または固定することができる。加えて、本明細書において論じられているように、支持体２０２は、タービン２８のケーシング３６から半径方向内向きに延伸することができ、ステータベーン４０のＨＧＰ構成要素２００Ａ（例えば、外側プラットフォーム）に結合されかつ／またはそれを受け入れて、ステータベーン４０をケーシング３６におよび／またはケーシング３６内に結合、位置決め、および／または固定するように構成され得る。図１４および図１５に示されるこの非限定的な例において、また、本明細書において論じられているＨＧＰ構成要素１００およびタービンシュラウド（図２〜図１３を参照）と同様に、ステータベーン４０のＨＧＰ構成要素２００Ａおよび外側プラットフォームは交換可能に使用されてもよく、ＨＧＰ構成要素２００Ｂおよび内側プラットフォームは、交換可能に使用されてもよい。
【００７７】
図１４および図１５に示されるように、ＨＧＰ構成要素２００Ａ、２００Ｂおよび支持体２０２は、タービン２８内を流れる高圧流体（ＨＰＦ）および低圧流体（ＬＰＦ）によって包囲することができる。具体的には、ＨＧＰ構成要素２００Ａおよび支持体２０２の上流に位置決めされる領域５２はＬＰＦを含むことができ、一方、ＨＧＰ構成要素２００Ａおよび支持体２０２の下流に位置決めされる領域５０はＨＰＦを含むことができる。さらに、ＨＧＰ構成要素２００Ｂの上流に位置決めされる領域５２はＬＰＦを含むことができ、ＨＧＰ構成要素２００Ｂの下流に位置決めされる領域５０はＨＰＦを含むことができる。
【００７８】
本明細書において論じられているＨＧＰ構成要素１００（例えばタービンシュラウド）および支持体１０２と同様に、ＨＧＰ構成要素２００Ａおよび支持体２０２は、ＨＰＦおよびＬＰＦを使用してＨＧＰ構成要素２００Ａが冷却されることを可能にするように構成することができ、かつ／または、これを行う特徴を含むことができる。例えば、図１５に示されるように、支持体２０２は、その中に形成された少なくとも１つの高圧供給導管２０６を含むことができる。高圧供給導管２０６は、ＨＰＦを含む領域５０およびＨＧＰ構成要素２００Ａと流体連通し、かつ／または流体的に結合することができる。高圧供給導管２０６は、本明細書において論じられているように、領域５０を通じて流れるＨＰＦを受け入れることができ、ＨＧＰ構成要素２００ＡにＨＰＦを直接的に提供することができる。非限定的な例では、単一の高圧供給導管２０６のみを含むものとして示されているが、支持体２０２は、ＨＧＰ構成要素２００ＡにＨＰＦを提供するための複数の高圧供給導管２０６を含み得ることが理解される。
【００７９】
支持体２０２は、少なくとも１つの低圧供給導管２０８を含むこともできる。低圧供給導管（複数可）２０８は、ＬＰＦを含む領域５２と流体連通し、かつ／または流体的に結合することができる。図１５に示され、本明細書において論じられているように、低圧供給導管（複数可）２０８は、タービンシステム１０（図１を参照）の動作中に領域５２からＨＧＰ構成要素２００ＡにＬＰＦを提供するために、ＨＧＰ構成要素２００Ａに流体的に結合し、かつ／または流体連通することができる。
【００８０】
ＨＧＰ構成要素２００Ａ（例えば、外側プラットフォーム）はまた、タービン２８を通じて流れるＨＰＦおよびＬＰＦを使用してＨＧＰ構成要素２００Ａを冷却するために使用することができる複数の表面、部分、流体チャネル、ノズル、およびベンチュリを含む本体をも含むことができる。例えば、図１５に示されるように、ＨＧＰ構成要素２００Ａは本体２１０を含むことができる。図１５に示される非限定的な例では、ＨＧＰ構成要素２００Ａは単一本体２１０を含み、かつ／またはそれとして形成され、結果、ＨＧＰ構成要素２００Ａは、単一の、連続的な、かつ／または分離されていない構成要素または部品になる。非限定的な例において、ＨＧＰ構成要素２００Ａの単一本体２１０、ならびにＨＧＰ構成要素２００Ａの様々な構成要素および／または特徴は、本明細書において同様に論じられているように、任意の適切な積層造形プロセス（複数可）および／または方法を使用して形成することができる。別の非限定的な例では、ＨＧＰ構成要素２００Ａの本体２１０は、本明細書において同様に論じられているように（図７および図８参照）、複数のおよび／または別個の部分または構成要素（図示せず）として形成されてもよい。
【００８１】
ＨＧＰ構成要素２００Ａはまた、ガスタービンシステム１０のタービン２８のタービンケーシング３６を通って流れる燃焼ガス２６の高温ガス流路（ＦＰ）に位置決め、形成、対面、直接露出され、かつ／またはこれを部分的に画定する内面２３０をも含むことができる。ＨＧＰ構成要素２００Ａの本体２１０の内面２３０は、ステータベーン４０の翼形部４２に半径方向に隣接して位置決めすることができる。燃焼ガス２６の高温ガス流路（ＦＰ）に面することに加えて、本体２１０の内面２３０はまた、ＨＧＰ構成要素２００Ａの前端２２０と後端２２２との間に形成および／または位置決めすることもできる。
【００８２】
図１５に示されるように、ＨＧＰ構成要素２００Ａはまた、内側部分２３２をも含むことができる。内側部分２３２は、ＨＧＰ構成要素２００Ａの（単一）本体２１０の一体部分として形成することができる。加えて、内側部分２３２は、内面２３０を含むことができ、かつ／または内面２３０は、ＨＧＰ構成要素２００Ａの本体２１０の内側部分２３２上に形成することができる。ＨＧＰ構成要素２００Ａの本体２１０の内側部分２３２は、前端２２０と後端２２２との間、ならびにＨＧＰ構成要素２００Ａの対向する両側面（図示せず）の間に形成され、位置決めされ、および／または延伸し得る。加えて、内側部分２３２は、本体２１０の両側面上に形成された中実側壁と一体に形成されてもよい（図示せず）。ＨＧＰ構成要素２００Ａの内側部分２３２はまた、タービンシステム１０のタービン２８の高温ガス流路（ＦＰ）に隣接して位置決めすることができる。
【００８３】
ＨＧＰ構成要素２００Ａはまた、内側部分２３２の半径方向反対側に形成された外側部分２３４を含むことができる。内側部分２３２と同様に、外側部分２３４は、ＨＧＰ構成要素２００Ａの単一本体２１０の一体部分として形成することができる。ＨＧＰ構成要素２００Ａの本体２１０の外側部分２３４は、それぞれ、前端２２０と後端２２２との間、ならびに本体２１０の対向する両側面（図示せず）の間に形成され、位置決めされ、および／または延伸し得る。ＨＧＰ構成要素２００Ａの外側部分２３４は、本明細書において論じられているように、ＨＧＰ構成要素２００Ａ内に様々な流体チャネルを少なくとも部分的に形成および／または画定することができる。
【００８４】
図１５の非限定的な例に示されるように、ＨＧＰ構成要素２００Ａは、中間部分２３６も含み得る。中間部分２３６は、（半径方向において）ＨＧＰ構成要素２００Ａの単一本体２１０の内側部分２３２と外側部分２３４との間に形成され得る。内側部分２３２および外側部分２３４と同様に、また図１５に示されるように、ＨＧＰ構成要素２００Ａの中間部分２３６は、ＨＧＰ構成要素２００Ａの本体２１０の一体部分として形成されてもよい。ＨＧＰ構成要素２００Ａの本体２１０の中間部分２３６は、前端２２０と後端２２２との間、ならびに本体２１０の対向する両側面の間に形成、位置決め、および／または延伸することができ、対向する両側面上に形成される中実側壁と一体に形成することができる（図示せず）。
【００８５】
ＨＧＰ構成要素２００Ａは、本体２１０の外側部分２３４の半径方向外側に、半径方向に隣接して、かつ／または半径方向上方に形成される上部プレート２５９も含み得る。上部プレート２５９は、支持体２０２の一部分から半径方向内側に位置決めすることができ、かつ／または支持体２０２の一部に実質的に接触もしくは当接することができる。上部プレート２５９は、実質的にそれぞれ前端２２０と後端２２２との間、ならびに本体２１０の対向する両側面の間に形成、延伸、および／または位置決めされ得る実質的に中実のまたは連続的な（例えば、開口またはベンチュリのない）構成要素から形成され得る。非限定的な例では、上部プレート２５９は、ＨＧＰ構成要素２００Ａの外面２２８を形成および／または画定することができる。
【００８６】
内側部分２３２、外側部分２３４、中間部分２３６、および／または上部プレート２５９は、ＨＧＰ構成要素２００Ａ内のチャネルを少なくとも部分的に形成および／または画定することができる。例えば、中間部分２３６および外側部分２３４は、ＨＧＰ構成要素２００Ａ内に低圧流体チャネル２３８を画定および／または形成することができる。より具体的には、低圧流体チャネル２３８は、ＨＧＰ構成要素２００Ａの単一本体２１０の中間部分２３６と外側部分２３４との間に形成することができる。低圧流体チャネル２３８は、前端２２０と後端２２２との間、ならびに単一本体２１０の対向する両側面の間に実質的に延伸することができる。本明細書において論じられているように、低圧流体チャネル２３８は、ＨＧＰ構成要素２００Ａを通して形成され、支持体２０２の低圧供給導管（複数可）２０８と流体連通する開口（複数可）を介してＬＰＦを受け入れることができる。
【００８７】
図１５に示される非限定的な例では、中間部分２３６および内側部分２３２はまた、ＨＧＰ構成要素２００Ａ内に冷却チャネル２４２を画定および／または形成することもできる。すなわち、冷却チャネル２４２は、ＨＧＰ構成要素２００Ａの単一本体２１０の中間部分２３６と内側部分２３２との間に形成することができる。冷却チャネル２４２は、それぞれ前端２２０と後端２２２との間、ならびに本体２１０の対向する両側面（図示せず）の間に実質的に延伸することができる。冷却チャネル２４２は、ガスタービンシステム１０（図１参照）の動作中にＨＰＦおよび低圧流体（ＬＰＦ）を受け入れてＨＧＰ構成要素２００Ａを冷却することができ、その後、排出孔２４４、２４５を介してＨＧＰ構成要素２００ＡからＨＰＦおよびＬＰＦを吐出または排出することができる。
【００８８】
ＨＧＰ構成要素２００Ａは、高圧流体チャネル２６０も含むことができる。高圧流体チャネル２６０は、外側部分２３４と上部プレート２５９との間に形成することができる。すなわち、ＨＧＰ構成要素２００Ａの上部プレート２５９および外側部分２３４は、ＨＧＰ構成要素２００Ａ内に高圧流体チャネル２６０を画定および／または形成することができる。高圧流体チャネル２６０は、前端２２０と後端２２２との間、ならびに本体２１０の対向する両側面の間に実質的に延伸することができる。高圧流体チャネル２６０は、支持体２０２の高圧供給導管２０６からＨＰＦを受け入れ、続いて高圧流体チャネル２６０にＨＰＦを供給するために、高圧供給導管２０６に流体的に結合される開口（複数可）を含むことができる。別の非限定的な例（図示せず）では、ＨＧＰ構成要素２００Ａは上部プレート２５９を含まなくてもよい。したがって、高圧流体チャネル２６０は、外側部分２３４と支持体２０２との間に形成することができ、本明細書において論じられているように、ＨＰＦを受け入れるために高圧供給導管２０６と直接的に流体連通することができる。
【００８９】
さらに、図２〜図９に関して本明細書において論じられているＨＧＰ構成要素１００と同様に、ＨＧＰ構成要素２００Ａは、その中に形成された複数のノズル２４６およびベンチュリ２４８を含むことができる。例えば、ＨＧＰ構成要素２００Ａの外側部分２３４は、その中またはそれを通じて形成された複数の開口またはノズル２４６（以下、「ノズル２４６」）を含むことができる。複数のノズル２４６の各々は、ＨＧＰ構成要素２００Ａの単一本体２１０の外側部分２３４を通して形成されてもよい。外側部分２３４を貫通して形成された複数のノズル２４６は、ＨＧＰ構成要素２００Ａの高圧流体チャネル２６０と流体連通し、かつ／または流体的に結合することができる。さらに、図１５に示すように、外側部分２３４を通じて形成された複数のノズル２４６は、ＨＧＰ構成要素２００Ａの高圧流体チャネル２６０および低圧流体チャネル２３８を流体的に結合することができる。本明細書において論じられているように、外側部分２３４を通じて形成された複数のノズル２４６の各々は、高圧供給導管２０６および／または高圧流体チャネル２６０からＨＰＦを受け入れ、その後、ＨＧＰ構成要素２００Ａの低圧流体チャネル２３８にＨＰＦを提供しまたは流すことができる。
【００９０】
また、図１５に示される非限定的な例に示すように、中間部分２３６は、その中にまたはそれを通じて形成される複数の開口またはベンチュリ２４８（以下、「ベンチュリ２４８」）を含むことができる。複数のベンチュリ２４８の各々は、ＨＧＰ構成要素２００Ａの本体２１０の中間部分２３６を通じて形成することができる。中間部分２３６を通じて形成された複数のベンチュリ２４８は、ＨＧＰ構成要素２００Ａの本体２１０内に形成された低圧流体チャネル２３８および冷却チャネル２４２と流体連通し、かつ／または流体的に結合することができる。さらに、かつベンチュリ２４８は低圧流体チャネル２３８と流体連通しているため、ＨＧＰ構成要素２００Ａのベンチュリ２４８はまた、低圧流体チャネル２３８を通じて流れるＬＰＦとも流体連通することができ、および／または、低圧流体チャネル２３８にＬＰＦを提供する支持体２０２の低圧供給導管（複数可）２０８と流体連通することができる。本明細書において論じられているように、中間部分２３６を通じて形成された複数のベンチュリ２４８の各々は、低圧流体チャネル２３８からＬＰＦを受け入れ、続いてＬＰＦを冷却チャネル２４２に提供しまたは流すことができる。さらに、本明細書において論じられているように、複数のベンチュリ２４８の各々は、複数のノズル２４６を介して低圧流体チャネル２３８を通じて流れるＨＰＦを受け入れ、続いてＨＰＦを冷却チャネル２４２に提供しまたは流すことができる。
【００９１】
ＨＧＰ構成要素２００Ａ内に形成された複数のノズル２４６およびベンチュリ２４８は、図５および図６に関して本明細書において論じられているＨＧＰ構成要素１００の複数のノズル１４６およびベンチュリ１４８と実質的に同様の特徴を含むことができる。例えば、図１５に示すように、ＨＧＰ構成要素２００Ａの外側部分２３４内に形成された複数のノズル２４６および中間部分２３６内に形成された複数のベンチュリ２４８は、半径方向にかつ／または同心に位置整合され得る。すなわち、複数のノズル２４６の各々は、対応するベンチュリ２４８と位置整合し得、かつ／または実質的に同心であり得る。さらに、ノズル２４６は、ベンチュリ２４８のスロートにおける各ベンチュリ２４８の第２の寸法または直径（例えば図６を参照）よりも小さい、第１の寸法、例えばスロートにおける第１の直径（例えば図６を参照）を含むことができる。さらに、各ベンチュリ２４８は、ノズル２４６の第１の寸法または直径およびベンチュリ２４８の第２の寸法または直径よりも大きくてもよい第３の寸法または直径（例えば図６を参照）を有するディフューザ（例えば図６を参照）も含むことができる。ＨＧＰ構成要素２００Ａのノズル２４６およびベンチュリ２４８の様々な特徴は、ＨＰＦおよびＬＰＦの混合を支援し、本明細書において同様に論じられているように、ガスタービンシステム１０のタービン２８の動作中に実質的にＬＰＦにエネルギーを与え、その速度を増加させてＨＧＰ構成要素２００Ａを冷却することができる。
【００９２】
ステータベーン４０の内側プラットフォームとして形成されたＨＧＰ構成要素２００Ｂは、図１４および図１５に関して本明細書において論じられているＨＧＰ構成要素２００Ａと同様の特徴を含むことができることが理解される。より具体的には、ステータベーン４０のＨＧＰ構成要素２００Ｂは、ＨＧＰ構成要素２００Ａのものと実質的に同一であり得る複数の表面、部分、流体チャネル、ノズル、およびベンチュリを含む本体を含むことができる。しかしながら、ＨＧＰ構成要素２００Ａとは異なり、ＨＧＰ構成要素２００Ｂは、タービン２８のロータ３０に隣接して位置決めされた領域５２と直接的に流体連通する低圧流体チャネル（例えば、低圧流体チャネル２３８）と、ロータ３０に隣接して位置決めされた領域５０と直接的に流体連通する高圧流体チャネル（例えば、高圧流体チャネル２６０）とを含むことができる。本明細書において同様に論じられているように、領域５２はＬＰＦを含むことができ、領域５０はＨＰＦを含むことができ、これらはタービン２８の動作中にＨＧＰ構成要素２００Ｂを冷却するために使用することができる。別の非限定的な例（図示せず）では、ＨＰＦおよびＬＰＦは、ケーシング３６に隣接して位置決めされた領域５０、５２から供給され、その後、翼形部４６を通じて形成された導管を介してＨＧＰ構成要素２００Ｂに供給されてもよい。
【００９３】
図１０〜図１３に関して本明細書に示され論じられている非限定的な例と同様に、ＨＧＰ構成要素２００Ａ、２００Ｂの特徴および／または構成要素は、図１５に示される非限定的な例とは異なる部分に位置決めされ、かつ／または異なるように構成されてもよい。例えば、低圧供給導管２０８と流体連通する低圧流体チャネル２３８は、上部プレート２５９と複数のノズル２４６を含む外側プレート２３４との間に形成、位置決め、および／または画定されてもよい。加えて、高圧供給導管２０６と流体連通する高圧流体チャネル２６０は、外側プレート２３４と複数のベンチュリ２４８を含む中間プレート２３６との間に形成、位置決め、および／または画定されてもよい。図１２および図１３に関して本明細書において同様に論じられているように、ＨＧＰ構成要素２００Ａ、２００Ｂ内の複数のノズル２４６を通じて流れるＬＰＦは、複数のベンチュリ２４８へと流れることができ、複数のベンチュリ２４８を通じて流れるＨＰＦと混合し、その後、冷却チャネル２４２へと流れ、ＨＧＰ構成要素２００Ａ、２００Ｂから放出され得る。
【００９４】
図２〜図１５に関して本明細書において論じられているように、支持体１０２、２０２およびＨＧＰ構成要素１００、２００を利用することにより、ガスタービンシステム１０のタービン２８は、タービン２８内に見られるＨＰＦとＬＰＦの両方を利用してＨＧＰ構成要素１００、２００を冷却することができる。加えて、ＨＧＰ構成要素１００、２００を冷却するために使用され得るＨＰＦとＬＰＦとの比は、ＨＰＦよりも多量のＬＰＦを含み得る。
【００９５】
高温ガス経路（ＨＧＰ）構成要素１００、２００および支持体１０２、２０２（それぞれ図２〜図１１を参照）は、いくつかの方法で形成することができる。一実施形態では、ＨＧＰ構成要素１００、２００および支持体１０２、２０２は、鋳造によって作製され得る。しかし、本明細書において述べるように、積層造形が、単一本体１１０（および支持体１０２、２０２）を含むＨＧＰ構成要素１００、２００を製造するために特に適している。本明細書において使用する場合、積層造形（ＡＭ）は、従来のプロセスの場合である材料の除去ではなく、材料の連続した層形成を介して物体を製造する任意のプロセスを含み得る。積層造形は、あらゆる種類の工具、金型または器具を使用することなく、かつ廃棄材料をほとんどまたは全く伴わずに複雑な幾何学的形状を形成することができる。その多くは切り取られて廃棄されるプラスチックまたは金属の固体ビレットから構成要素を機械加工する代わりに、積層造形に使用される唯一の材料が部品を成形するために要求される材料である。積層造形プロセスは、これらに限定されないが、３Ｄ印刷、ラピッドプロトタイピング（ＲＰ）、直接デジタル製造（ＤＤＭ）、バインダジェッティング、選択的レーザ溶融（ＳＬＭ）および直接金属レーザ溶融（ＤＭＬＭ）を含むことができる。現在の設定では、ＤＭＬＭまたはＳＬＭが有利であることがわかっている。
【００９６】
積層造形プロセスの例を説明するために、図１６は、物体９０２を生成するための例示のコンピュータ化された積層造形システム９００の概略／ブロック図を示す。この例では、システム９００は、ＤＭＬＭ用に構成される。本開示の一般的な教示は、他の形態の積層造形に同様に適用可能であることが理解される。物体９０２は、ＨＧＰ構成要素１００（図２〜図１３を参照）として示されているが、ＨＧＰ構成要素２００（図１４および図１５を参照）も含むことができる。ＡＭシステム９００は、一般に、コンピュータ化された積層造形（ＡＭ）制御システム９０４と、ＡＭプリンタ９０６とを含む。ＡＭシステム９００は、説明するように、ＡＭプリンタ９０６を使用して物体９０２を物理的に生成するためにＨＧＰ構成要素１００を定義するコンピュータ実行可能命令のセットを含むコード９２０を実行する。各ＡＭプロセスは、例えば、細粒粉末、液体（例えば、ポリマー）、シートなどの形態の異なる原材料を使用することができ、そのストックは、ＡＭプリンタ９０６のチャンバ９１０に保持することができる。この場合、ＨＧＰ構成要素１００は、ガスタービンシステム１０（図１参照）の環境に耐えることが可能な金属または金属化合物から作製することができる。図示されているように、アプリケータ９１２は、空白キャンバスとして広がる原材料９１４の薄層を形成することができ、これから最終物体の各連続スライスが形成される。他の場合では、アプリケータ９１２は、例えば金属バインダジェッティングプロセスが使用される場合、コード９２０によって定義されるように先の層上に次の層を直接適用または印刷することができる。示されている例では、レーザまたは電子ビーム９１６は、コード９２０によって定義されるように、各スライスの粒子を融合するが、これは迅速に硬化する液体プラスチック／ポリマーが採用される場合には必要ではない。ＡＭプリンタ９０６の様々な部品は、各新しい層の追加に対応するように移動することができ、例えば、各層の後で、構築プラットフォーム９１８は降下することができ、ならびに／またはチャンバ９１０および／もしくはアプリケータ９１２が上昇することができる。
【００９７】
ＡＭ制御システム９０４は、コンピュータプログラムコードとしてコンピュータ９３０に実装されて示されている。この点に関して、コンピュータ９３０は、メモリ９３２、プロセッサ９３４、入力／出力（Ｉ／Ｏ）インターフェース９３６、およびバス９３８を含むものとして示されている。さらに、コンピュータ９３０は、外部Ｉ／Ｏデバイス／リソース９４０および記憶システム９４２と通信するように示されている。一般に、プロセッサ９３４は、本明細書に記載のＨＧＰ構成要素１００を表すコード９２０からの命令の下で、メモリ９３２および／または記憶システム９４２に記憶されるＡＭ制御システム９０４などのコンピュータプログラムコードを実行する。コンピュータプログラムコードの実行時に、プロセッサ９３４は、メモリ９３２、記憶システム９４２、Ｉ／Ｏデバイス９４０および／またはＡＭプリンタ９０６からデータを読み出すことおよび／またはこれらにデータを書き込むことができる。バス９３８は、コンピュータ９３０の構成部品のそれぞれの間の通信リンクを供給し、Ｉ／Ｏデバイス９４０は、ユーザがコンピュータと対話できるようにする任意のデバイス（例えば、キーボード、ポインティングデバイス、ディスプレイなど）を含むことができる。
コンピュータ９３０は、ハードウェアおよびソフトウェアの考えられる種々の組合せの代表にすぎない。例えば、プロセッサ９３４は、単一の処理ユニットを備えることができ、あるいはプロセッサ９３４を、例えばクライアントおよびサーバ上など、１つまたは複数の場所の１つまたは複数のプロセッシングユニットに分散させることができる。同様に、メモリ９３２および／または記憶システム９４２は、１つまたは複数の物理的な場所に存在することができる。メモリ９３２および／または記憶システム９４２は、磁気媒体、光学媒体、ランダムアクセスメモリ（ＲＡＭ）、読み出し専用メモリ（ＲＯＭ）、などを含む様々な種類の非一時的コンピュータ可読記憶媒体の任意の組合せを備えることができる。コンピュータ９３０は、ネットワークサーバ、デスクトップコンピュータ、ラップトップ、携帯デバイス、携帯電話機、ポケットベル、携帯情報端末などの任意の種類のコンピューティングデバイスを備えることができる。
【００９８】
積層造形プロセスは、非一時的コンピュータ可読記憶媒体（例えば、メモリ９３２、記憶システム９４２など）にＨＧＰ構成要素１００を表すコード９２０を記憶することによって始まる。前述のように、コード９２０は、外側電極を定義する一組のコンピュータ実行可能命令を含み、これはシステム９００によるコードの実行時に、先端を物理的に生成するために使用することができる。例えば、コード９２０は、ＨＧＰ構成要素１００の正確に定められた３Ｄモデルを含むことができ、ＡｕｔｏＣＡＤ（登録商標）、ＴｕｒｂｏＣＡＤ（登録商標）、ＤｅｓｉｇｎＣＡＤ  ３Ｄ  Ｍａｘなどの多様な周知のコンピュータ支援設計（ＣＡＤ）ソフトウェアシステムのいずれかから生成することができる。この点において、コード９２０は、任意の現在知られているまたは後に開発されるファイルフォーマットとすることができる。例えば、コード９２０は、３ＤシステムのステレオリソグラフィＣＡＤプログラム用に生成された標準テッセレーション言語（ＳＴＬ）、または積層造形ファイル（ＡＭＦ）とすることができ、積層造形ファイルは、アメリカ機械学会（ＡＳＭＥ）規格であり、これは拡張可能なマークアップ言語（ＸＭＬ）ベースのフォーマットであり、任意のＣＡＤソフトウェアが、ＡＭプリンタで製造されることになる任意の三次元物体の形状および構成を表現できるように設計されている。コード９２０は、必要に応じて、異なるフォーマット間で変換すること、セットのデータ信号に変換すること、セットのデータ信号として送受信してコードに変換して記憶することなどができる。コード９２０は、システム９００への入力とすることができ、かつ部品設計者、知的財産（ＩＰ）プロバイダ、設計会社、システム９００のオペレータもしくは所有者から、または他のソースから到来することができる。いずれにしても、ＡＭ制御システム９０４は、コード９２０を実行して、ＨＧＰ構成要素１００を連続した薄いスライスに分割し、ＨＧＰ構成要素１００は、液体、粉末、シートまたは他の材料の連続した層でＡＭプリンタ９０６を使用して組み立てられる。ＤＭＬＭの例では、各層は、コード９２０によって定義された正確な幾何学的形状に溶融されて前の層に融合される。その後、ＨＧＰ構成要素１００は、任意の様々な仕上げプロセス、例えば、再輪郭加工または他の小規模の機械加工、シーリング、研磨などのための本明細書に記載される仕上げプロセスを受けることができる。
【００９９】
本開示の技術的効果は、例えば、その中に形成された複数のベンチュリを含む高温ガス経路構成要素を提供することを含む。高温ガス経路構成要素の単一本体（積層造形を使用して形成される）により、ベンチュリの様々な層を形成し、構成要素の冷却に低圧流体を利用することが可能になる。これにより、高温ガス経路構成要素を冷却するのに必要な流体の量が減少し、タービンシステム内の燃料消費量および／または発熱率が減少する。
【０１００】
本明細書において使用される専門用語は、単に特定の実施形態を説明するためのものに過ぎず、本開示を限定するものではない。本明細書において使用する場合、単数形「１つの（ａ）」、「１つの（ａｎ）」および「この（ｔｈｅ）」は、特に明示しない限り、複数形も含むことが意図される。「含む（ｃｏｍｐｒｉｓｅ）」および／または「含んでいる（ｃｏｍｐｒｉｓｉｎｇ）」という用語は、本明細書において使用する場合、記載した特徴、整数、ステップ、動作、要素、および／または構成要素が存在することを明示するが、１つまたは複数の他の特徴、整数、ステップ、動作、要素、構成要素、および／またはそれらの組が存在することまたは追加することを除外しないことがさらに理解されよう。「任意の」または「任意に」は、後で述べられる事象または状況が、起こる場合も起こらない場合もあることを意味し、この記述は、その事象が起こる事例と、起こらない事例とを含むことを意味する。
【０１０１】
本明細書および特許請求の範囲を通してここで使用される、近似を表す文言は、関連する基本的機能に変化をもたらすことなく、差し支えない程度に変動できる任意の量的表現を修飾するために適用することができる。したがって、「およそ」、「約」および「実質的に」などの用語で修飾された値は、明記された厳密な値に限定されるものではない。少なくともいくつかの例では、近似を表す文言は、値を測定するための機器の精度に対応することができる。ここで、ならびに本明細書および特許請求の範囲を通して、範囲の限定は組合せおよび／または置き換えが可能であり、文脈および文言が特に指示しない限り、このような範囲は識別され、それに包含されるすべての部分範囲を含む。範囲の特定の値に適用される「約」は、両方の値に適用され、値を測定する機器の精度に特に依存しない限り、記載された値の＋／−１０％を示すことができる。
【０１０２】
添付の特許請求の範囲におけるミーンズプラスファンクションまたはステッププラスファンクションの要素すべての、対応する構造、材料、動作および均等物は、具体的に請求された他の請求要素と組み合わせてその機能を遂行するための、一切の構造、材料または動作を包含することが意図されている。本開示の記述は、例示および説明の目的で提示されたもので、網羅的であることも、または本開示を開示した形態に限定することも意図していない。多くの変更および変形は、本開示の範囲および趣旨から逸脱することなく、当業者には明らかであろう。本開示の原理および実際の応用を最もよく説明し、想定される特定の使用に適するように様々な変更を伴う様々な実施形態の開示を他の当業者が理解できるようにするために、実施形態を選択し説明した。
【符号の説明】
【０１０３】
１０  ガスタービンシステム
１２  圧縮機
１８  空気
２０  圧縮空気
２２  燃焼器
２４  燃料
２６  燃焼ガス
２８  タービン
３０  ロータ
３２  外部負荷
３４  排気フレーム
３６  タービンケーシング
３８  タービンブレード
４０  ステータベーン
４２  翼形部
４６  翼形部
４８  先端部分
５０  領域
５２  領域
１００  ＨＧＰ構成要素
１０２  支持体
１０４  高圧流体チャンバ
１０６  高圧供給導管
１０８  低圧供給導管
１１０  本体
１１２  第１のフック
１１８  第２のフック
１２０  前端
１２２  後端
１２４  第１の側面
１２６  第２の側面
１２８  外面
１３０  内面
１３２  内側部分
１３４  外側部分
１３６  中間部分
１３８  低圧流体チャネル
１４０  開口
１４２  冷却チャネル
１４４  排出孔
１４５  排出孔、開口
１４６  ノズル
１４８  ベンチュリ
１５０  区画
１５２  ディフューザ
１５４  端部
１５６  支持ピン
１５７  第１の部分
１５８  第２の部分
１５９  上部プレート
１６０  高圧流体チャネル
１６２  開口
１６４  低圧流体チャンバ
１６６  低圧入口
２００  ＨＧＰ構成要素
２００Ａ  外側プラットフォーム、ＨＧＰ構成要素
２００Ｂ  内側プラットフォーム、ＨＧＰ構成要素
２０２  支持体
２０６  高圧供給導管
２０８  低圧供給導管
２１０  本体
２２０  前端
２２２  後端
２２８  外面
２３０  内面
２３２  内側部分
２３４  外側部分、外側プレート
２３６  中間部分、中間プレート
２３８  低圧流体チャネル
２４２  冷却チャネル
２４４  排出孔
２４５  排出孔
２４６  ノズル
２４８  ベンチュリ
２５９  上部プレート
２６０  高圧流体チャネル
９００  積層造形（ＡＭ）システム
９０２  物体
９０４  ＡＭ制御システム
９０６  ＡＭプリンタ
９１０  チャンバ
９１２  アプリケータ
９１４  原材料
９１６  電子ビーム
９１８  構築プラットフォーム
９２０  コード
９３０  コンピュータ
９３２  メモリ
９３４  プロセッサ
９３６  インターフェース
９３８  バス
９４０  Ｉ／Ｏデバイス
９４２  記憶システム
【図１】
2020084981.tif 000003
【図２】
2020084981.tif 000004
【図３】
2020084981.tif 000005
【図４】
2020084981.tif 000006
【図５】
2020084981.tif 000007
【図６】
2020084981.tif 000008
【図７】
2020084981.tif 000009
【図８】
2020084981.tif 000010
【図９】
2020084981.tif 000011
【図１０】
2020084981.tif 000012
【図１１】
2020084981.tif 000013
【図１２】
2020084981.tif 000014
【図１３】
2020084981.tif 000015
【図１４】
2020084981.tif 000016
【図１５】
2020084981.tif 000017
【図１６】
2020084981.tif 000018
【外国語明細書】
2020084981000001.pdf
2020084981000002.pdf
2020084981000003.pdf
2020084981000004.pdf